(57)【要約】  スロット内の複数のスイッチングポイントを促進させるシステム及び方法が提供される。スロットフォーマット表示は、スロット内の何れのシンボルがアップリンク、ダウンリンク、又は、不明であるかを示すユーザ機器に伝えられる。幾つかのフォーマットは、スロット内でアップリンクからダウンリンクへの送信が2回行なわれることを意味するハーフスロットスイッチングを特徴とする。より頻繁にスイッチングを行なうことにより待ち時間の改善を果たすことができる。
2020533916.tif 000002
【特許請求の範囲】
【請求項１】
無線通信の方法であって、前記方法は、
ユーザ機器によって、基地局（BS）からスロットフォーマット情報（SFI）を受信するステップであって、
前記SFIが少なくとも1つのスロット形成構成を示し、前記少なくともスロット形成構成のそれぞれが、1つのスロットの第1の持続時間内のシンボルと関連付けられる第1の構成と、前記スロットの第2の持続時間内のシンボルと関連付けられる第2の構成とを備え、前記第1の構成が少なくとも1つのアップリンクシンボルの位置及び少なくとも1つのダウンリンクシンボルの位置を示し、前記第2の構成が少なくとも1つのアップリンクシンボルの位置及び少なくとも1つのダウンリンクシンボルの位置を示す、ステップと、
前記ユーザ機器によって、前記スロット形成構成に基づいてダウンリンクデータ送信又はアップリンクデータ送信を通信するステップであって、
前記第1の構成は、第1のハーフスロット内に少なくとも1つの第1のスイッチングポイントを備え、前記第2の構成は、第2のハーフスロット内に少なくとも第2のスイッチングポイントを備える、ステップと、
を含む、方法。
【請求項２】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項1に記載の方法。
【請求項３】
前記第1のスイッチングポイント及び前記第2のスイッチングポイントは、少なくとも1つのガードシンボルの位置又は1つ以上の不明シンボルの位置を示す、請求項2に記載の方法。
【請求項４】
前記ユーザ機器によって、所定の関係に基づいて前記SFIから前記第1の構成及び前記第2の構成を取得するステップ
を更に含む、請求項1から3のいずれか一項に記載の方法。
【請求項５】
前記SFIは、スロット又はスロットのグループに関する少なくとも1つのスロット形成構成を示す、請求項1から4のいずれか一項に記載の方法。
【請求項６】
各スロットが14個のシンボルを有し、前記第1及び第2の持続時間のそれぞれが7個のシンボルである、請求項1から5のいずれか一項に記載の方法。
【請求項７】
前記第1の構成及び前記第2の構成は、前記第1の持続時間及び前記第2の持続時間において同じ構成を有する、請求項1から6のいずれか一項に記載の方法。
【請求項８】
スロットフォーマット情報を受信する前記ステップは、
グループ共通の物理ダウンリンク制御チャネル（GC−PDCCH）；
グループ共通制御信号；
準静的信号、
のうちのいずれか1つを監視することを含む、請求項1から7のいずれか一項に記載の方法。
【請求項９】
前記少なくとも1つのスロットフォーマット構成は、以下のような所定の関係を有し、
【表１】
2020533916.tif 000013
ここで、「UKWN」として特定されるシンボルは、ダイナミックシグナリングによりDLシンボル又はULシンボルによってオーバーライドされる、請求項1から8のいずれか一項に記載の方法。
【請求項１０】
基地局（BS）からスロットフォーマット情報（SFI）を受信し、
少なくとも1つのスロット形成構成に基づいてダウンリンクデータ送信又はアップリンクデータ送信を通信する、
ように構成される少なくとも1つのプロセッサと、
前記少なくとも1つのプロセッサに結合されるメモリと、
を備え、
前記SFIが少なくとも1つのスロット形成構成を示し、前記少なくともスロット形成構成のそれぞれは、1つのスロットの第1の持続時間内のシンボルと関連付けられる第1の構成と、前記スロットの第2の持続時間内のシンボルと関連付けられる第2の構成とを備え、前記第1の構成は、少なくとも1つのアップリンクシンボルの位置及び少なくとも1つのダウンリンクシンボルの位置を示し、前記第2の構成は、少なくとも1つのアップリンクシンボルの位置及び少なくとも1つのダウンリンクシンボルの位置を示し、
前記第1の構成は、第1のハーフスロット内に少なくとも1つの第1のスイッチングポイントを備え、前記第2の構成は、第2のハーフスロット内に少なくとも第2のスイッチングポイントを備える、
ユーザ機器（UE）。
【請求項１１】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項10に記載のUE。
【請求項１２】
スロットフォーマット情報を受信するように構成される前記少なくとも1つのプロセッサは、
グループ共通の物理ダウンリンク制御チャネル（GC−PDCCH）；
グループ共通制御信号；
準静的信号、
のうちのいずれか1つを監視することを含む、請求項10又は11に記載のUE。
【請求項１３】
前記少なくとも1つの構成は、以下のような所定の関係を有し、
【表２】
2020533916.tif 000014
ここで、「UKWN」として特定されるシンボルは、ダイナミックシグナリングによりDLシンボル又はULシンボルによってオーバーライドされる、請求項10から12のいずれか一項に記載のUE。
【請求項１４】
無線通信の方法であって、前記方法は、
基地局（BS）によって、スロットフォーマット情報（SFI）をユーザ機器に送信するステップであって、
前記SFIが少なくとも1つのスロット形成構成を示し、前記少なくともスロット形成構成のそれぞれが、1つのスロットの第1の持続時間内のシンボルと関連付けられる第1の構成と、前記スロットの第2の持続時間内のシンボルと関連付けられる第2の構成とを備え、前記第1の構成が少なくとも1つのアップリンクシンボルの位置及び少なくとも1つのダウンリンクシンボルの位置を示し、前記第2の構成が少なくとも1つのアップリンクシンボルの位置及び少なくとも1つのダウンリンクシンボルの位置を示す、ステップと、
前記基地局によって、前記スロット形成構成に基づいてダウンリンクデータ送信又はアップリンクデータ送信を通信するステップであって、
前記第1の構成は、第1のハーフスロット内に少なくとも1つの第1のスイッチングポイントを備え、前記第2の構成は、第2のハーフスロット内に少なくとも第2のスイッチングポイントを備える、ステップと、
を含む、方法。
【請求項１５】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項14に記載の方法。
【請求項１６】
前記第1のスイッチングポイント及び前記第2のスイッチングポイントのそれぞれは、少なくとも1つのガードシンボルの位置又は1つ以上の不明シンボルの位置を示す、請求項14又は15に記載の方法。
【請求項１７】
前記SFIは、スロット又はスロットのグループに関する少なくとも1つのスロット形成構成を示す、請求項14から16のいずれか一項に記載の方法。
【請求項１８】
前記第1の構成及び前記第2の構成は、前記第1の持続時間及び前記第2の持続時間において同じ構成を有する、請求項14から17のいずれか一項に記載の方法。
【請求項１９】
スロットフォーマット情報を送信する前記ステップは、
グループ共通の物理ダウンリンク制御チャネル（GC−PDCCH）；
グループ共通制御信号；
準静的信号、及び
RRCシグナリング
のうちのいずれか1つを送信することを含む、請求項14から18のいずれか一項に記載の方法。
【請求項２０】
複数の構成は、以下のような所定の関係を有し、
【表３】
2020533916.tif 000015
ここで、「UKWN」として特定されるシンボルは、ダイナミックシグナリングによりDLシンボル又はULシンボルによってオーバーライドされる、請求項14から19のいずれか一項に記載の方法。
【請求項２１】
スロットフォーマット情報（SFI）をユーザ機器に送信し、
スロット形成構成に基づいてダウンリンクデータ送信又はアップリンクデータ送信を通信する、
ように構成される少なくとも1つのプロセッサを備え、
前記SFIが少なくとも1つのスロット形成構成を示し、前記少なくともスロット形成構成のそれぞれは、1つのスロットの第1の持続時間内のシンボルと関連付けられる第1の構成と、前記スロットの第2の持続時間内のシンボルと関連付けられる第2の構成とを備え、前記第1の構成は、少なくとも1つのアップリンクシンボルの位置及び少なくとも1つのダウンリンクシンボルの位置を示し、前記第2の構成は、少なくとも1つのアップリンクシンボルの位置及び少なくとも1つのダウンリンクシンボルの位置を示し、
前記第1の構成は、第1のハーフスロット内に少なくとも1つの第1のスイッチングポイントを備え、前記第2の構成は、第2のハーフスロット内に少なくとも第2のスイッチングポイントを備える、
基地局。
【請求項２２】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項21に記載の基地局。
【請求項２３】
スロットフォーマット情報を送信するように構成される前記少なくとも1つのプロセッサは、
グループ共通の物理ダウンリンク制御チャネル（GC−PDCCH）；
グループ共通制御信号；
準静的信号、
のうちのいずれか1つを監視することを含む、請求項21又は22に記載の基地局。
【請求項２４】
前記少なくとも1つの構成は、以下のような所定の関係を有し、
【表４】
2020533916.tif 000016
ここで、「UKWN」として特定されるシンボルは、ダイナミックシグナリングによりDLシンボル又はULシンボルによってオーバーライドされる、請求項21から23のいずれか一項に記載の基地局。
【発明の詳細な説明】
【技術分野】
【０００１】
相互参照
本出願は、2017年9月15日に出願されて「スロットごとに複数のスイッチングポイントを伴うスロットフォーマットを構成するためのシステム及び方法」と題される米国仮出願第62／559，479号の利益を主張する「スロットごとに複数のスイッチングポイントを伴うスロットフォーマットを構成するためのシステム及び方法」と題される2018年5月18日に出願された米国非仮出願第15／983890号の利益を主張し、これらの出願は、参照によりあたかもそれらの全体が再現されるように本願に組み入れられる。
【０００２】
本出願は、無線通信に関し、具体的には、時分割複信のための適応フレーム構造の方法及びシステムに関する。
【背景技術】
【０００３】
無線通信システムにおいて、送信は、一般に、予め規定された所定のフレーム構造にしたがって通信される。所定のフレーム構造は、通信デバイスが時間リソース、周波数リソース、又は、時間及び周波数リソースなどのリソースの知識を有するように使用され、それにより、異なるリソース間の干渉及び信号の送信と受信との間の干渉は、回避又は減少され得る。最新の無線ネットワークは、様々なトラフィックタイプの通信をサポートするために益々使用されている。異なるトラフィックタイプは、所定のフレーム構造が対応できない場合がある待ち時間など、異なる特性及びサービス品質（QoS）要件を有する。したがって、異なるトラフィックタイプを効率的にサポートできる適応フレーム構造が望まれる。
【発明の概要】
【課題を解決するための手段】
【０００４】
技術的利点は、一般に、スロットごとに複数のスイッチングポイントを伴うスロットフォーマットを構成するためのシステム及び方法について記載するこの開示の実施形態によって達成される。スロット内のスイッチングポイントでは、通信がダウンリンクからアップリンクに又はその逆に変化する。
【０００５】
スロット内に複数のスイッチングポイントを構成することは、特に高速のHARQラウンドトリップ時間を必要とし得る低待ち時間通信の場合に有益となり得る。例えば、スロットが14個のOFDMシンボルを成して規定されれば、15 KHZサブキャリア間隔（SCS）と30 KHzとに基づくスロットは、1ミリ秒及び0．5ミリ秒の持続時間をそれぞれ有する。この場合、スロットごとに1つのスイッチングポイントのみが構成されれば、1msのエンドツーエンド遅延を必要とする低待ち時間通信は、より長いDL／ULスイッチング周期に起因して1ms以内に十分なHARQベースの再送信機会を有さない。幾つかのサービスの信頼性要件を1ミリ秒以内に確保することは困難である。したがって、場合によっては、スロットごとに複数のスイッチングポイントを設定することが有益である。幾つかの実施形態によれば、ネットワークは、2つのスイッチングポイントなどの複数のスイッチングポイントを伴う所定のヌメロロジーのスロットのためのフォーマット又は構成のセットをサポートしてもよく、また、サポートされる構成／フォーマットのセットからの1つのフォーマット又は構成はダイナミックシグナリングによってモバイルデバイスに対して示され得る。
【０００６】
本発明の1つの態様によれば、無線通信の方法が提供され、該方法は、ユーザ機器によって、基地局（BS）からスロットフォーマット情報（SFI）を受信するステップであって、SFIが少なくとも1つのスロット形成構成を示し、少なくともスロット形成構成のそれぞれが、1つのスロットの第1の持続時間内のシンボルと関連付けられる第1の構成と、スロットの第2の持続時間内のシンボルと関連付けられる第2の構成とを備え、第1の構成が少なくとも1つのアップリンクシンボルの位置及び少なくとも1つのダウンリンクシンボルの位置を示し、第2の構成が少なくとも1つのアップリンクシンボルの位置及び少なくとも1つのダウンリンクシンボルの位置を示す、ステップと、ユーザ機器によって、スロット形成構成に基づいてダウンリンクデータ送信又はアップリンクデータ送信を通信するステップであって、第1の構成が、第1のハーフスロット内に少なくとも1つの第1のスイッチングポイントを備え、第2の構成が、第2のハーフスロット内に少なくとも第2のスイッチングポイントを備える、ステップと、を含む。
【０００７】
随意的に、先の実施形態のいずれかにおいて、第1のスイッチングポイント及び第2のスイッチングポイントのそれぞれは、ダウンリンク送信方向からアップリンク送信方向へのスイッチングを示し、又は、第1のスイッチングポイント及び第2のスイッチングポイントのそれぞれは、アップリンク送信方向からダウンリンク送信方向へのスイッチングを示す。
【０００８】
随意的に、先の実施形態のいずれかにおいて、第1のスイッチングポイント及び第2のスイッチングポイントは、少なくとも1つのガードシンボルの位置又は1つ以上の不明シンボルの位置を示す。
【０００９】
随意的に、先の実施形態のいずれかにおいて、方法は、ユーザ機器によって、所定の関係に基づいてSFIから第1の構成及び第2の構成を取得するステップを更に含む。
【００１０】
随意的に、先の実施形態のいずれかにおいて、SFIは、スロット又はスロットのグループに関する少なくとも1つのスロット形成構成を示す。
【００１１】
随意的に、先の実施形態のいずれかにおいて、各スロットが14個のシンボルを有し、第1及び第2の持続時間のそれぞれが7個のシンボルである。
【００１２】
随意的に、先の実施形態のいずれかにおいて、第1の構成及び第2の構成は、第1の持続時間及び第2の持続時間において同じ構成を有する。
【００１３】
随意的に、先の実施形態のいずれかにおいて、スロットフォーマット情報を受信するステップは、グループ共通の物理ダウンリンク制御チャネル（GC−PDCCH）；グループ共通制御信号；準静的信号のうちのいずれか1つを監視することを含む。
【００１４】
随意的に、先の実施形態のいずれかにおいて、少なくとも1つのスロットフォーマット構成は、以下のような所定の関係を有し、
【００１５】
【表１】
2020533916.tif 000003
【００１６】
ここで、「UKWN」として特定されるシンボルは、ダイナミックシグナリングによりDLシンボル又はULシンボルによってオーバーライドされる。
【００１７】
本発明の他の態様によれば、基地局（BS）からスロットフォーマット情報（SFI）を受信し、少なくとも1つのスロット形成構成に基づいてダウンリンクデータ送信又はアップリンクデータ送信を通信するように構成される少なくとも1つのプロセッサと、少なくとも1つのプロセッサに結合されるメモリとを備え、SFIが少なくとも1つのスロット形成構成を示し、少なくともスロット形成構成のそれぞれが、1つのスロットの第1の持続時間内のシンボルと関連付けられる第1の構成と、スロットの第2の持続時間内のシンボルと関連付けられる第2の構成とを備え、第1の構成が、少なくとも1つのアップリンクシンボルの位置及び少なくとも1つのダウンリンクシンボルの位置を示し、第2の構成が、少なくとも1つのアップリンクシンボルの位置及び少なくとも1つのダウンリンクシンボルの位置を示し、第1の構成が、第1のハーフスロット内に少なくとも1つの第1のスイッチングポイントを備え、第2の構成が、第2のハーフスロット内に少なくとも第2のスイッチングポイントを備える、ユーザ機器（UE）が提供される。
【００１８】
随意的に、先の実施形態のいずれかにおいて、第1のスイッチングポイント及び第2のスイッチングポイントのそれぞれは、ダウンリンク送信方向からアップリンク送信方向へのスイッチングを示し、又は、第1のスイッチングポイント及び第2のスイッチングポイントのそれぞれは、アップリンク送信方向からダウンリンク送信方向へのスイッチングを示す。
【００１９】
随意的に、先の実施形態のいずれかにおいて、スロットフォーマット情報を受信するように構成される少なくとも1つのプロセッサは、グループ共通の物理ダウンリンク制御チャネル（GC−PDCCH）；グループ共通制御信号；準静的信号のうちのいずれか1つを監視することを含む。
【００２０】
随意的に、先の実施形態のいずれかにおいて、少なくとも1つの構成は、以下のような所定の関係を有し、
【００２１】
【表２】
2020533916.tif 000004
【００２２】
ここで、「UKWN」として特定されるシンボルは、ダイナミックシグナリングによりDLシンボル又はULシンボルによってオーバーライドされる。
【００２３】
本発明の1つの態様によれば、無線通信の方法が提供され、該方法は、基地局（BS）によって、スロットフォーマット情報（SFI）をユーザ機器に送信するステップであって、SFIが少なくとも1つのスロット形成構成を示し、少なくともスロット形成構成のそれぞれが、1つのスロットの第1の持続時間内のシンボルと関連付けられる第1の構成と、スロットの第2の持続時間内のシンボルと関連付けられる第2の構成とを備え、第1の構成が少なくとも1つのアップリンクシンボルの位置及び少なくとも1つのダウンリンクシンボルの位置を示し、第2の構成が少なくとも1つのアップリンクシンボルの位置及び少なくとも1つのダウンリンクシンボルの位置を示す、ステップと、基地局によって、スロット形成構成に基づいてダウンリンクデータ送信又はアップリンクデータ送信を通信するステップであって、第1の構成が、第1のハーフスロット内に少なくとも1つの第1のスイッチングポイントを備え、第2の構成が、第2のハーフスロット内に少なくとも第2のスイッチングポイントを備える、ステップと、を含む。
【００２４】
随意的に、先の実施形態のいずれかにおいて、第1のスイッチングポイント及び第2のスイッチングポイントのそれぞれは、ダウンリンク送信方向からアップリンク送信方向へのスイッチングを示し、又は、第1のスイッチングポイント及び第2のスイッチングポイントのそれぞれは、アップリンク送信方向からダウンリンク送信方向へのスイッチングを示す。
【００２５】
随意的に、先の実施形態のいずれかにおいて、第1のスイッチングポイント及び第2のスイッチングポイントのそれぞれは、少なくとも1つのガードシンボルの位置又は1つ以上の不明シンボルの位置を示す。
【００２６】
随意的に、先の実施形態のいずれかにおいて、SFIは、スロット又はスロットのグループに関する少なくとも1つのスロット形成構成を示す。
【００２７】
随意的に、先の実施形態のいずれかにおいて、第1の構成及び第2の構成は、第1の持続時間及び第2の持続時間において同じ構成を有する。
【００２８】
随意的に、先の実施形態のいずれかにおいて、スロットフォーマット情報を送信するステップは、グループ共通の物理ダウンリンク制御チャネル（GC−PDCCH）；グループ共通制御信号；準静的信号；及びRRCシグナリングのうちのいずれか1つを送信することを含む。
【００２９】
随意的に、先の実施形態のいずれかにおいて、複数の構成は、以下のような所定の関係を有し、
【００３０】
【表３】
2020533916.tif 000005
【００３１】
ここで、「UKWN」として特定されるシンボルは、ダイナミックシグナリングによりDLシンボル又はULシンボルによってオーバーライドされる。
【００３２】
本発明の他の態様によれば、方法を実装するよう構成された、プロセッサ及びメモリを備える基地局が提供され、該方法は、基地局（BS）によって、スロットフォーマット情報（SFI）をユーザ機器に送信するステップであって、SFIが少なくとも1つのスロット形成構成を示し、少なくともスロット形成構成のそれぞれが、1つのスロットの第1の持続時間内のシンボルと関連付けられる第1の構成と、スロットの第2の持続時間内のシンボルと関連付けられる第2の構成とを備え、第1の構成が少なくとも1つのアップリンクシンボルの位置及び少なくとも1つのダウンリンクシンボルの位置を示し、第2の構成が少なくとも1つのアップリンクシンボルの位置及び少なくとも1つのダウンリンクシンボルの位置を示す、ステップと、基地局によって、スロット形成構成に基づいてダウンリンクデータ送信又はアップリンクデータ送信を通信するステップであって、第1の構成が、第1のハーフスロット内に少なくとも1つの第1のスイッチングポイントを備え、第2の構成が、第2のハーフスロット内に少なくとも第2のスイッチングポイントを備える、ステップと、を含む。
【００３３】
以下、実施形態の作成及び使用について詳細に説明する。しかしながら、本明細書中に開示される概念を多種多様な特定の文脈で具現化でき、また、本明細書中で論じられる特定の実施形態が単なる例示であって特許請求の範囲を限定しようとするものでないことを理解すべきである。更に、添付の特許請求の範囲の思想及び範囲から逸脱することなく本明細書中で様々な変更、置換、及び、修正を成すことができることが理解されるべきである。
【００３４】
ここで、添付図面を参照して、本発明の実施形態の例について更に詳しく説明する。
【図面の簡単な説明】
【００３５】
【図１Ａ】本開示の実施形態を実施できる通信システムの一例のブロック図である。
【図１Ｂ】この開示に係る方法及び教示内容を実施できる電子機器の一例のブロック図である。
【図１Ｃ】この開示に係る方法及び教示内容を実施できる基地局の一例のブロック図である。
【図１Ｄ】スロットフォーマット表示を伴ってUEを構成するための方法のフローチャートである。
【図２】1つの持続時間内の全てのスロットに関して同じである単一のスロットフォーマットを示すスロットフォーマット表示の一例である。
【図３】1つの持続時間内のそれぞれのスロットごとの対応するスロットフォーマットを示すスロットフォーマット表示の一例である。
【図４】2つのハーフスロットに関するフォーマットが同じであるハーフスロット構成に基づくスロットフォーマット表示の一例である。
【図５】2つのハーフスロットに関するフォーマットが異なるハーフスロット構成に基づくスロットフォーマット表示の一例である。
【図６】2つのハーフスロットに関するフォーマットが異なるハーフスロット構成に基づくスロットフォーマット表示の更に詳細な例である。
【図７】2つのハーフスロットに関するフォーマットが同じであるハーフスロット構成に基づくスロットフォーマット表示の更に詳細な例である。
【図８】第2のハーフスロットに関するフォーマットが第1のハーフスロットに関するフォーマットのミラーであるハーフスロット構成に基づくスロットフォーマット表示の一例である。
【図９】2ビットがハーフスロットにおける各シンボルのタイプを示す、ハーフスロットのためのフォーマット表示の特定の例である。
【図１０】ハーフスロットスイッチングに基づく幾つかのフォーマットとフルスロットスイッチングに基づく幾つかのフォーマットとを含む単一の表内で規定されたフォーマットのセットの一例である。
【図１１】ハーフスロットスイッチングに基づく幾つかのフォーマットを含んでいる第1の表とフルスロットスイッチングに基づくフォーマットを含んでいる第2の表とを含むフォーマットのセットの一例である。
【図１２Ａ】スイッチングポイントが2つのヌメロロジーにわたって位置合わせされる、参照ヌメロロジーにしたがった14個のシンボルを有するスロットの例を示す。
【図１２Ｂ】スイッチングポイントが2つのヌメロロジーにわたって位置合わせされる、参照ヌメロロジーにしたがった14個のシンボルを有するスロットの例を示す。
【図１３】本明細書中に記載される方法を実行するための処理システムの一実施形態のブロック図である。
【図１４】本明細書中で説明される方法のうちの1つ以上にしたがって遠隔通信ネットワークを介してシグナリングを送信及び受信するようになっているトランシーバのブロック図である。
【図１５】ユーザ機器の観点からの通信方法のフローチャートである。
【図１６】基地局の観点からの通信方法のフローチャートである。
【発明を実施するための形態】
【００３６】
図1Aは、本開示の実施形態を実施できる通信システム100の一例を示す。一般に、通信システム100は、複数の無線要素又は有線要素がデータ及び他のコンテンツを通信できるようにする。通信システム100の目的は、ブロードキャスト、ナローキャスト、ユーザ機器を介してユーザ機器等にコンテンツ（音声、データ、ビデオ、テキスト）を提供することであってもよい。通信システム100は、帯域幅などのリソースを共有することによって動作してもよい。
【００３７】
この例において、通信システム100は、電子デバイス（ED）110a−110c、無線アクセスネットワーク（RAN）120a−120b、コアネットワーク130、公衆交換電話網（PSTN）140、インターネット150、及び、他のネットワーク160を含む。特定数のこれらの構成要素又は要素が図1に示されるが、任意の合理的な数のこれらの構成要素又は要素が通信システム100に含まれてもよい。ED 110a−110cは、通信システム100内で動作する、通信する、又は、その両方を行なうように構成される。例えば、ED 110a−110cは、無線又は有線通信チャネルを介して送信する、受信する、又は、その両方を行なうように構成される。各ED 110a−110cは、無線動作に適した任意のエンドユーザ機器に相当するとともに、ユーザ機器／デバイス（UE）、無線送信／受信ユニット（WTRU）、移動局、固定又は移動加入者ユニット、携帯電話、ステーション（STA）、マシンタイプ通信（MTC）デバイス、携帯情報端末（PDA）、スマートフォン、ラップトップ、コンピュータ、タブレット、無線センサ、又は、電子機器のようなデバイスを含んでもよい（或いは、ユーザ機器／デバイス（UE）、無線送信／受信ユニット（WTRU）、移動局、固定又は移動加入者ユニット、携帯電話、ステーション（STA）、マシンタイプ通信（MTC）デバイス、携帯情報端末（PDA）、スマートフォン、ラップトップ、コンピュータ、タブレット、無線センサ、又は、電子機器と称されてもよい）。
【００３８】
図1Aでは、RAN 120a−120bが基地局170a−170bをそれぞれ含む。各基地局170a−170bは、任意の他の基地局170a−170b、コアネットワーク130、PSTN 140、インターネット150、及び／又は、他のネットワーク160へのアクセスを可能にするためにED 110a−110cのうちの1つ以上と無線でインタフェースをとるように構成される。例えば、基地局170a−170bは、基地トランシーバ局（BTS）、ノードB（NodeB）、発展型ノードB（eNodeB）、ホームeNodeB、gNodeB、送信ポイント（TP）、サイトコントローラ、アクセスポイント（AP）、又は、無線ルータなどの幾つかの良く知られたデバイスのうちの1つ以上を含んでもよい（又はそのようなデバイスのうちの1つ以上であってもよい）。これに代えて又は加えて、任意のED 110a−110cは、任意の他の基地局170a−170b、インターネット150、コアネットワーク130、PSTN 140、他のネットワーク160、又は、これらの任意の組み合わせとインタフェースをとる、アクセスする、又は、通信するように構成されてもよい。通信システム100はRAN 120bなどのRANを含んでもよく、この場合、対応する基地局170bは、図示のように、インターネット150を介してコアネットワーク130にアクセスする。ED 110a−110c及び基地局170a−170bは、本明細書中に記載される機能性及び／又は実施形態の一部又は全部を実施するように構成され得る通信機器の例である。図1Aに示される実施形態において、基地局170aは、他の基地局、基地局コントローラ（BSC）、無線ネットワークコントローラ（RNC）、中継ノード、要素、及び／又は、デバイスを含んでもよいRAN 120aの一部を形成する。任意の基地局170a，170bは、図示のような単一の要素、又は、対応するRANにおいて或いは別の方法で分布される複数の要素であってもよい。また、基地局170bは、他の基地局、要素、及び／又は、デバイスを含んでもよいRAN 120bの一部を形成する。各基地局170a−170bは、時として「セル」又は「カバレッジエリア」と称される特定の地理的領域内又はエリア内で無線信号を送信及び／又は受信する。セルは更にセルセクタに分割されてもよく、また、基地局170a−170bは、例えば、複数のセクタにサービスを提供するために複数のトランシーバを使用してもよい。幾つかの実施形態では、無線アクセス技術がそのようにサポートするピコセル又はフェムトセルが確立されてもよい。幾つかの実施形態では、例えば、複数入力複数出力（MIMO）技術を使用して、それぞれのセルごとに複数のトランシーバを使用することができる。図示のRAN 120a−120bの数は単なる例示にすぎない。通信システム100を考案するときに、任意の数のRANが考えられ得る。
【００３９】
基地局170a−170bは、無線通信リンク、例えば無線周波数（RF）、マイクロ波、赤外線（IR）などを使用して1つ以上のエアインタフェース190を介してED 110a−110cのうちの1つ以上と通信する。エアインタフェース190は、任意の適切な無線アクセス技術を利用してもよい。例えば、通信システム100は、符号分割多元接続（CDMA）、時分割多元接続（TDMA）、周波数分割多元接続（FDMA）、直交FDMA（OFDMA）、又は、単一キャリアFDMA（SC−FDMA）などの1つ以上のチャネルアクセス方法をエアインタフェース190で実施してもよい。
【００４０】
基地局170a−170bは、広帯域CDMA（WCDMA(登録商標)）を使用してエアインタフェース190を確立するべくユニバーサル移動体通信システム（UMTS）地上無線アクセス（UTRA）を実施してもよい。その際、基地局170a−170bは、随意的にHSDPA、HSUPA、又は、これらの両方を含むHSPA、HSPA＋などのプロトコルを実施してもよい。或いは、基地局170a−170bは、LTE、LTE−A、及び／又は、LTE−Bを使用して発展型UTMS地上無線アクセス（E−UTRA）を伴うエアインタフェース190を確立してもよい。通信システム100が前述のような方式を含む複数のチャネルアクセス機能を使用してもよいと考えられる。エアインタフェースを実装するための他の無線技術としては、IEEE 802．11、802．15、802．16、CDMA2000、CDMA2000 1X、CDMA2000 EV−DO、IS−2000、IS−95、IS−856、GSM、EDGE、及び、GERANが挙げられる。勿論、他の多元接続方式及び無線プロトコルが利用されてもよい。
【００４１】
RAN 120a−120bは、音声、データ、及び、他のサービスなどの様々なサービスをED 110a−110cに提供するためにコアネットワーク130と通信している。RAN 120a−120b及び／又はコアネットワーク130は、1つ以上の他のRAN（図示せず）と直接的に又は間接的に通信してもよく、1つ以上の他のRANは、コアネットワーク130によって直接にサービスされてもよく又はされなくてもよく、また、RAN 120a、RAN 120b、又は、これらの両方と同じ無線アクセス技術を使用してもよく又は使用しなくてもよい。また、コアネットワーク130は、（i）RAN 120a−120b又はED 110a−110c又はこれらの両方と、（ii）他のネットワーク（PSTN 140、インターネット150、及び、他のネットワーク160など）との間のゲートウェイアクセスとしての機能を果たしてもよい。加えて、ED 110a−110cの一部又は全部は、異なる無線技術及び／又はプロトコルを使用して異なる無線リンクを介して異なる無線ネットワークと通信するための機能を含んでもよい。無線通信の代わりに（又はそれに加えて）、EDは、有線通信チャネルを介してサービスプロバイダ又はスイッチ（図示せず）に、及び、インターネット150に通信してもよい。PSTN 140は、基本電話サービス（POTS）を提供するための回線交換電話網を含んでもよい。インターネット150は、コンピュータ及びサブネット（イントラネット）又はこれらの両方のネットワークを含むとともに、IP，TCP，UDPなどのプロトコルを組み込んでもよい。ED 110a−110cは、複数の無線アクセス技術にしたがって動作できるマルチモードデバイスであってもよく、そのようなサポートに必要な複数のトランシーバを組み込んでもよい。
【００４２】
図1B及び図1Cは、この開示に係る方法及び教示を実施できるデバイスの例を示す。特に、図1BはED 110の一例を示し、図1Cは基地局170の一例を示す。これらの構成要素は、通信システム100で又は他の適切なシステムで使用され得る。
【００４３】
図1Bに示されるように、ED 110は少なくとも1つの処理ユニット200を含む。処理ユニット200は、ED 110の様々な処理動作を実施する。例えば、処理ユニット200は、信号符号化、データ処理、電力制御、入力／出力処理、又は、ED 110が通信システム100で動作できるようにする任意の他の機能を実行することができる。また、処理ユニット200は、先に詳しく説明した機能及び／又は実施形態の一部又は全部を実施するように構成されてもよい。各処理ユニット200は、1つ以上の動作を実行するように構成される任意の適した処理デバイス又はコンピュータデバイスを含む。各処理ユニット200は、例えば、マイクロプロセッサ、マイクロコントローラ、デジタル信号プロセッサ、フィールドプログラマブルゲートアレイ、又は、特定用途向け集積回路を含むことができる。
【００４４】
また、ED 110は少なくとも1つのトランシーバ202も含む。トランシーバ202は、少なくとも1つのアンテナ又はネットワークインタフェースコントローラ（NIC）204による送信のためにデータ又は他のコンテンツを変調するように構成される。トランシーバ202は、少なくとも1つのアンテナ204によって受信されるデータ又は他のコンテンツを復調するようにも構成される。各トランシーバ202は、無線又は有線送信のための信号を生成する及び／又は無線で或いは有線で受信される信号を処理するのに適した任意の構造を含む。各アンテナ204は、無線信号又は有線信号を送信する及び／又は受信するのに適した任意の構造を含む。ED 110では、1つ又は複数のトランシーバ202を使用することができる。ED 110では、1つ又は複数のアンテナ204を使用することができる。トランシーバ202は、単一の機能ユニットとして示されるが、少なくとも1つの送信機及び少なくとも1つの別個の受信機を使用して実装することもできる。
【００４５】
ED 110は、1つ以上の入力／出力デバイス206又はインタフェース（インターネット150への有線インタフェースなど）を更に含む。入力／出力デバイス206は、ネットワーク内のユーザ又は他のデバイスとの相互作用を可能にする。各入力／出力デバイス206は、ネットワークインタフェース通信を含む、スピーカ、マイクロフォン、キーパッド、キーボード、ディスプレイ、又は、タッチスクリーンなどの、ユーザに情報を提供する又はユーザから情報を受信するのに適した任意の構造を含む。
【００４６】
加えて、ED 110は少なくとも1つのメモリ208を含む。メモリ208は、ED 110によって使用される、生成される、又は、収集される命令及びデータを記憶する。例えば、メモリ208は、前述の機能及び／又は実施形態の一部又は全部を実施するように構成されて処理ユニット200により実行されるソフトウェア命令又はモジュールを記憶することができる。各メモリ208は、任意の適した揮発性及び／又は不揮発性の記憶デバイス及び検索デバイスを含む。ランダムアクセスメモリ（RAM）、リードオンリーメモリ（ROM）、ハードディスク、光ディスク、加入者識別モジュール（SIM）カード、メモリスティック、セキュアデジタル（SD）メモリカード、及び、同様のものなどの任意の適したタイプのメモリが使用されてもよい。
【００４７】
図1Cに示されるように、基地局170は、少なくとも1つの処理ユニット250、少なくとも1つの送信機252、少なくとも1つの受信機254、1つ以上のアンテナ256、少なくとも1つのメモリ258、及び、1つ以上の入力／出力デバイス又はインタフェース266を含む。送信機252及び受信機254の代わりに、図示しないトランシーバが使用されてもよい。スケジューラ253が処理ユニット250に結合されてもよい。スケジューラ253は、基地局170内に含まれてもよく又は基地局170とは別個に動作されてもよい。処理ユニット250は、信号符号化、データ処理、電力制御、入力／出力処理、又は、任意の他の機能など、基地局170の様々な処理動作を実施する。また、処理ユニット250は、先により詳細に説明された機能及び／又は実施形態の一部又は全部を実施するように構成することもできる。各処理ユニット250は、1つ以上の動作を実行するように構成される任意の適した処理デバイス又はコンピュータデバイスを含む。各処理ユニット250は、例えば、マイクロプロセッサ、マイクロコントローラ、デジタル信号プロセッサ、フィールドプログラマブルゲートアレイ、又は、特定用途向け集積回路を含むことができる。
【００４８】
各送信機252は、1つ以上のED又は他のデバイスへの無線送信又は有線送信のための信号を生成するのに適した任意の構造を含む。各受信機254は、1つ以上のED又は他のデバイスから無線で又は有線で受信される信号を処理するのに適した任意の構造を含む。少なくとも1つの送信機252及び少なくとも1つの受信機254は、別個の構成要素として示されるが、組み合わせてトランシーバにすることができる。各アンテナ256は、無線信号又は有線信号を送信する及び／又は受信するのに適した任意の構造を含む。ここでは、送信機252及び受信機254の両方に結合されるように共通のアンテナ256が示されているが、1つ以上のアンテナ256を送信機252に結合でき、また、1つ以上の別個のアンテナ256を受信機254に結合できる。各メモリ258は、ED 110に関連して前述したような任意の適した揮発性及び／又は不揮発性の記憶装置及び検索デバイスを含む。メモリ258は、基地局170によって使用される、生成される、又は、収集される命令及びデータを記憶する。例えば、メモリ258は、前述の機能及び／又は実施形態の一部又は全部を実施するように構成されて処理ユニット250により実行されるソフトウェア命令又はモジュールを記憶することができる。
【００４９】
各入力／出力デバイス266は、ネットワーク内のユーザ又は他のデバイスとの相互作用を可能にする。各入力／出力デバイス266は、ネットワークインタフェース通信を含む、ユーザに情報を提供する又はユーザから情報を受信／提供するのに適した任意の構造を含む。
【００５０】
ネットワークとモバイルデバイスとの間の通信はスロットに基づいてもよい。そのようなスロットは時分割複信（TDD）に基づいており、この場合、アップリンク送信がダウンリンク送信とは異なる時間に起こる。特定の例では、各スロットが14個のOFDMシンボルを有する。スロットは、以下のうちの1つ又は組み合わせを含んでもよい。
a．ダウンリンク（DL）シンボル；
b．アップリンク（UL）シンボル；
c．ガードシンボル；
d．不明又は予約済みシンボル
【００５１】
図1Dは、図1A〜図1Cに描かれるようなデバイスを実装できる本開示の一実施形態によって提供される方法の一例を示す。方法はステップ1001から始まり、この場合、UEは、基地局（BS）からスロットフォーマット情報（SFI）を受信する。
【００５２】
一実施形態では、SFIが少なくとも1つのスロット形成構成を示す。各スロット形成構成は、1つのスロットの第1の持続時間内のシンボルと関連付けられる第1の構成と、スロットの第2の持続時間内のシンボルと関連付けられる第2の構成とを有する。第1の構成は、少なくとも1つのアップリンクシンボルの位置及び少なくとも1つのダウンリンクシンボルの位置を示す。同様に、第2の構成は、少なくとも1つのアップリンクシンボルの位置及び少なくとも1つのダウンリンクシンボルの位置を示す。スロットフォーマット構成を規定するのは第1及び第2の構成の組み合わせである。
【００５３】
1つの実施形態において、第1の構成は、第1のハーフスロット内に少なくとも1つの第1のスイッチングポイントを有し、第2の構成は、第2のハーフスロット内に少なくとも第2のスイッチングポイントを有する。
【００５４】
1つの実施形態において、第1のスイッチングポイント及び第2のスイッチングポイントのそれぞれは、ダウンリンク送信方向からアップリンク送信方向へのスイッチングを示す。或いは、第1のスイッチングポイント及び第2のスイッチングポイントのそれぞれは、アップリンク送信方向からダウンリンク送信方向へのスイッチングを示す。
【００５５】
1つの実施形態において、第1のスイッチングポイント及び第2のスイッチングポイントのそれぞれは、少なくとも1つのガードシンボルの位置又は1つ以上の不明シンボルの位置を示す。
【００５６】
1つの実施形態において、SFIは、スロット又はスロットのグループのための少なくとも1つのスロット形成構成を示す。
【００５７】
1つの実施形態において、第1の構成及び第2の構成は、第1の持続時間及び第2の持続時間において同じ構成を有する。
【００５８】
1つの実施形態において、UEは、グループ共通物理ダウンリンク制御チャネル（GC−PDCCH）を監視することによってスロットフォーマット情報を受信する。
【００５９】
1つの実施形態において、UEは、グループ共通制御信号を監視することによってスロットフォーマット情報を受信する。
【００６０】
1つの実施形態において、UEは、RRCシグナリングなどの準静的信号を監視することによってスロットフォーマット情報を受信する。
【００６１】
ステップ1002において、UEは、SFIから第1の構成及び第2の構成を取得する。例えば、幾つかの実施形態において、UEは、所定の関係に基づいてSFIから第1の構成及び第2の構成を取得する。或いは、幾つかの実施形態において、UEは、SFIから少なくとも1つのスロット形成構成を直接に取得する。
【００６２】
1つの実施形態において、スロットフォーマット情報は、UEによって記憶される複数の構成のうちの1つを示す。
【００６３】
1つの実施形態において、受信されたスロットフォーマット情報は、第1及び第2の表の一方又は両方の1つ又は複数のフォーマットを指し、第1の表は、スロットの第1及び第2の持続時間を構成するのに用いる7シンボル持続時間を伴うスロットフォーマットを含み、第2の表は、スロット全体を構成するのに用いる14シンボルを伴うスロットフォーマットを含む。
【００６４】
1つの実施形態において、受信されたスロットフォーマット情報は、フォーマットが第1の表からのものであること又はフォーマットが第2の表からのものであることを示す。
【００６５】
1つの実施形態において、受信されたスロットフォーマット情報は、7シンボルベースのスイッチングを伴うスロットフォーマットを含むとともに14シンボルベースのスイッチングを伴うスロットフォーマットを含む表内のフォーマットを指す。
【００６６】
ステップ1003において、UEは、スロット形成構成に基づいてダウンリンクデータ送信又はアップリンクデータ送信を通信する。
【００６７】
以下、UEとBSとの間の通信に関係する更なる実施形態について説明する。
【００６８】
幾つかの実施形態において、スロットフォーマット表示は、特定のUEのためのDLシンボルでもULシンボルでもないDLシンボル、ULシンボル、及び、他のシンボルのうちの1つ又は組み合わせを含むスロットのためのフォーマットを示してもよく、すなわち、モバイルデバイスへの送信又はモバイルデバイスからの送信はこれらのシンボルに関して行なわれない。他のシンボルは、一般にモバイルデバイスの観点から「不明」と呼ばれる場合がある。示された「不明」シンボルのうちの1つ以上は、ガード期間又はDLシンボルとULシンボルとの間のギャップの目的を果たしてもよく、すなわち、スロット内で「ガード」シンボルが何ら特定されない場合があり、代わりに、幾つかのシンボルを一般に「不明」と呼ぶことができ、そのうちの1つ以上がギャップとして使用され得る又は他の動的なシグナリングによってDLシンボル又はULシンボルとしてオーバーライドされ得る。このため、スロットは以下のうちの1つ又は組み合わせを含んでもよい。
a．ダウンリンク（DL）シンボル；
b．アップリンク（UL）シンボル；
c．不明シンボル。
【００６９】
全てのスロットでのDL、UL、ガード、不明又は予約済み／その他の間の所定の又は半静的なリソース割り当ては、効率的ではない場合がある。DL／ULリソースの共有は、サポートされた負荷及びトラフィックのタイプに基づいて動的に変更しなければならない場合がある。
【００７０】
本発明の一実施形態によれば、スロットフォーマットの動的な変更、すなわち、アップリンク送信とダウンリンク送信との間でのスロットの細分化方法の動的な調整を容易にするために、スロットフォーマット表示（SFI）がネットワークからUEのグループに送信される。SFIはUEによって受信されて処理され、また、送信／受信は、伝えられたSFIにしたがって両方のネットワークにより実行される。複数の想定し得るスロットフォーマットがあり、スロットフォーマット表示の各値は特定のスロットフォーマットと関連付けられる。
【００７１】
スロットフォーマットは、以下のうちの1つ以上の組み合わせを示す。
e．どのシンボル（つまり、スロット内の位置）がダウンリンクシンボルであるか；
f．どのシンボルがアップリンクシンボルであるか；
g．どのシンボルがガードシンボルであるか；
h．どのシンボルが不明又は予約済みシンボルであるか。
【００７２】
或いは、不明シンボルは、モバイルデバイスが送信／受信する必要がない任意のシンボル、例えばガードシンボル又は予約済みシンボル又はブランクシンボルなどを含むことができ、また、スロットフォーマットは、以下のうちの1つ以上の組み合わせを示す。
a．どのシンボルがダウンリンクシンボルであるか；
b．どのシンボルがアップリンクシンボルであるか；
c．どのシンボルが不明シンボルであるか。
【００７３】
スロット内のスイッチングポイントは、スロット内のシンボルがダウンリンクからアップリンクに切り換わる時間と関連付けられる。スイッチングポイントでは、基地局が送信から受信に切り換わり、モバイルデバイスが受信から送信に切り換わる。本発明の一実施形態によれば、利用可能なスロットフォーマットのうちの少なくとも1つが2つ以上のスイッチングポイントを有し、したがって、そのような各スロットフォーマットのための関連するSFIが2つ以上のスイッチングポイントを示す。
【００７４】
他の実施形態において、スロット内のスイッチングポイントは、スロット内のシンボルがアップリンクからダウンリンクに切り換わる時間と関連付けられる。スイッチングポイントでは、基地局が受信から送信に切り換わり、モバイルデバイスが送信から受信に切り換わる。本発明の一実施形態によれば、利用可能なスロットフォーマットのうちの少なくとも1つが2つ以上のスイッチングポイントを有し、したがって、そのような各スロットフォーマットのための関連するSFIが2つ以上のスイッチングポイントを示す。
【００７５】
幾つかの実施形態において、SFIは、グループ共通ダウンリンク制御チャネルなどのグループ共通制御チャネルで送信され得る。特定の例は、グループ共通−物理ダウンリンク制御チャネル（GC−PDCCH）を使用することを伴う。1つ以上のGC−PDCCHを使用して、ネットワークからUEのグループに共通情報を提供できる。GC−PDCCHは、例えば、GC−PDCCHを監視するモバイルデバイスのグループに知られている無線ネットワーク仮識別子（RNTI）に基づいて検出されてもよい。GC−PDCCHは巡回冗長検査（CRC）を含んでもよい。
【００７６】
GC−PDCCHは、CRC／RNTIのために使用される任意のビットを除く複数のビットを備える1つ以上のフィールドを有してもよい。1つ以上のフィールドは、モバイルデバイスに固有のものであってもよく、すなわち、GC−PDCCHを監視するモバイルデバイスのグループの特定のモバイルデバイスのためのものであってもよい。無線リソース制御（RRC）構成を使用して、GC−PDCCH内のどのフィールドがそのUEに属するかをモバイルデバイスに知らせてもよい。更に、1つ以上のフィールドがUEのグループに共通であってもよい。モバイルデバイスの各グループは、全ての共通のフィールドを読み取る。
【００７７】
GC−PDCCHを使用してSFIを送信する際には、UEのグループに共通の1つ以上のフィールドを使用してSFIを示すことができる。ネットワークによるSFI送信は、グループ共通ダウンリンク制御情報（GC−DCI）の適用と見なされてもよい。
【００７８】
幾つかの実施形態において、各モバイルデバイスは、より大きなシステム帯域幅の一部である現在のアクティブ帯域幅部分を有し、また、各モバイルデバイスは、現在のアクティブ帯域幅部分の共通検索スペースでSFIのためのGC−PDCCH又は他のリソースを監視する。
【００７９】
幾つかの実施形態において、SFIは、例えばN個のスロットなど、持続時間内の複数のスロットのためのスロットフォーマットを示す。SFIは、持続時間内の全てのスロットに関して同じである単一のスロットフォーマットを示してもよく（例えば図2参照）、或いは、持続時間内のそれぞれのスロットごとに異なるフォーマットを示してもよい（例えば図3参照）。幾つかの実施形態では、SFIが単一のスロットのためのスロットフォーマットを示してもよく、また、モバイルデバイスは、パターンを使用することによって他のスロットのSFIを導き出すことができてもよい。パターンは、SFIにおいて予め規定され／事前に設定され（例えば、RRCシグナリング又はシステム情報又はMAC CE）又は示され得る。幾つかの実施形態では、複数のパターンがRRCシグナリングで規定されてもよく、また、SFIは、使用されるべき複数のパターンのうちの1つのパターンを示してもよい。1つの例では、N＝10であり、SFIは最初のスロットのスロットフォーマットを示してもよく、また、パターンは、全てのスロットに関して同じフォーマットを単純に繰り返すことである。他の例では、N＝10であり、SFIは最初のスロット（スロットインデックス0）のためのスロットフォーマットを示してもよく、また、パターンは、偶数インデックス（スロットインデックス0、2、4、6、8）を伴う全てのスロットが最初のスロットと同じフォーマットを使用するとともに、奇数インデックス（スロットインデックス1、3、5、7、9）を伴う全てのスロットが最初のスロットのフォーマットに対して相関されたフォーマット（ミラーパターンなど）又は最初のスロットで使用されるフォーマットと比べて異なる独立したフォーマットを使用するようになっている。より一般的には、SFIはN個のスロットのうちのM個のスロットのためのフォーマットを示してもよく、この場合、1≦M＜Nであり、Nは、SFI表示の範囲内のスロットの総数であり、また、パターンは、全てのスロットのためのスロットフォーマットを取得するように特定され／事前に設定され得る。前述したように、パターンは、SFIを伝送するGC−PDCCHで動的に示され得る。
【００８０】
本発明の一実施形態によれば、パターン（1≦K、Kは整数、パターン表示用のフィールド）及びスロットフォーマット表示（1≦M、Mは整数、SFI用のフィールド）の両方のためのフィールドを含むGC−PDCCHの構造が提供される。以下に示されるフィールドの位置のセットが単なる一例に過ぎず、一般にKフィールド及びMフィールドも異なる方法で位置させることができることに留意されたい。幾つかの実施形態において、SFIは、スロットのグループの中のそれぞれの個々のスロットごとに独立してスロットフォーマットを示してもよい。
【００８１】
【表４】
2020533916.tif 000006
【００８２】
随意的に、SFIはオフセットを含んでもよく、オフセットは、存在する場合には、基準サブフレーム／スロットに対するスロット位置を示す。オフセットは、上位層シグナリングによって事前に設定され得る又はフィールド内のSFIで動的に示され得る。1つの実施形態において、基準スロット／サブフレームは、モバイルデバイスがGC−PDCCHでSFIを受信するときであってもよい。1つの例では、基準位置がスロットx（SFIが受信されるスロットであってもよい）内にあり、SFIがN個のスロットに関して示され、この場合、N個のスロットのうちの最初のスロットは、スロットx内の基準位置のk個のスロットの後に始まる。kの値は、デフォルトとなり得る又は半静的に設定され得る又は動的に示され得る。
【００８３】
幾つかの実施形態において、想定し得るフォーマットの1つ又は複数のセットは、上位層シグナリングを使用して構成され、また、SFIは、上位層構成されたフォーマットのセットのうちの1つからのフォーマットを示す。
【００８４】
幾つかの実施形態において、フォーマットは、N時間単位（N≧1）を含む所定の持続時間Tに関して規定される。各時間単位は、P個のシンボルそれぞれのM（M≧1）個のスロットを含むように規定され得る。或いは、各時間単位は、L個のシンボル（L≧1）を含むように規定可能であり、1つのスロットがP個のシンボルを備える。1つの例では、Pが7又は14個のシンボルであってもよい。
【００８５】
第1のオプションでは、各時間単位内にK個のスイッチングポイントがある。前述のように、各単位がL個のシンボルであってもよく、その場合、1≦K≦Lである。或いは、各時間単位がM個のスロットであってもよく、その場合、1≦K≦MPである。
【００８６】
第2のオプションでは、持続時間内にK個のスイッチングポイントがあり、この場合、1≦K≦Nである。このオプションに関し、時間単位ごとに最大1つのスイッチングポイントを構成する／示すことができる。持続時間内の連続するスイッチングポイント間の間隔は、時間単位のグループを含んでもよい。1つの例では、SFIがN≧1個のスロットに関して示される。スロット内には事前に設定された切り換えパターン又はフォーマットが存在することができ、例えば、x DL個のシンボルの後に、y個の不明シンボルが続き、その後にz個のULシンボルが続き、この場合、x≧1、y≧0、z≧0、及び、x＋y＋z＝Pが適用される（先に与えられたPの定義）。SFIを伝送するGC−PDCCHは、スイッチングが行なわれるスロットを示すためのフィールドを含むことができる。示されたスロットの前後のスロットはそれぞれDL及びUL／不明となり得る。
【００８７】
ハーフスロットスイッチング粒度に基づくSFI表示
特定の実施形態において、説明された手法は、ハーフスロットスイッチング粒度に基づいてSFI表示を与えるために使用され、このことは、各ハーフスロットにそれぞれのスイッチが存在し得ることを意味する。
【００８８】
前述の第1のオプションを適用してハーフスロット切り換えを達成する場合、各時間単位は1スロットであり、K＝2である。特定の例では、スロットが14個のシンボルであり、また、第1のハーフスロットにスイッチングポイントがあり且つ第2のハーフスロットにスイッチングポイントがある異なるフォーマットが規定される。特定の例では、フォーマットのセット内で、少なくとも1つのスロットフォーマット表示は、14シンボルスロット内の2番目の7個のシンボルに関して繰り返される14シンボルスロット内の最初の7個のシンボルのためのフォーマット／構成と関連付けられる。最初の7個のシンボル及び2番目の7個のシンボルのためのフォーマット又は構成Aを示す例が図4に描かれる。この例において、フルスロットのためのSFI表示は、それぞれのハーフスロットごとに構成／フォーマットが繰り返されるフォーマットになる。
【００８９】
他の特定の例では、フォーマットのセット内で、少なくとも1つのスロットフォーマット表示は、14シンボルスロット内の最初の7個のシンボルのためのフォーマット／構成と、14シンボルスロット内の2番目の7個のシンボルのための異なるフォーマット／構成とに関連付けられる。最初の7個のシンボルのためのフォーマットA及び2番目の7個のシンボルのためのフォーマットBを示す例が図5に描かれる。この例において、フルスロットのためのSFI表示は、ハーフスロットに関して2つの構成／フォーマットが示されるフォーマットになる。
【００９０】
それぞれのハーフスロットごとに示されるフォーマット／構成は、上位層シグナリングによって構成されるフォーマット／構成のセットから示されてもよい。それぞれのハーフスロットごとに、各フォーマット／構成には、NDL個のシンボル、NUL個のシンボル、Nguard個のガードシンボル、Nunknown個の不明又は予約済みシンボルが構成され、この場合、NDL＋NUL＋Nguard＋Nunknown＝7 symbols，0≦｛NDL，NUL，Nguard，Nunknown｝≦7が適用される。前述のように、ガードシンボル又はギャップシンボルはフォーマットで明示的に示されなくてもよく、代わりに不明シンボルのみが示される。
【００９１】
1つの実施形態において、ハーフスロットのための構成の組み合わせ／対を異なるタイプに分類することができる。1つの実施形態では、SFIを伝えるGC−PDCCH内の1つ以上のフィールドを使用して、以下のタイプのいずれかに基づいてスロットフォーマットを示すことができる。これらのフィールドは、同様に1つのスイッチングポイントに基づいてスロットフォーマットを更に示すことができる。
タイプ1：ハーフスロットにおける独立した構成、この場合、各構成は、サポートされた上位層構成された構成のセットから選択される；
タイプ2：ハーフスロットにおける繰り返される構成、この場合、各構成は、サポートされた上位層構成された構成のセットから選択される；
タイプ3：ハーフスロットにおける相関された構成（例えば、ミラー構成）、この場合、各構成は、サポートされた上位層構成された構成のセットから選択される
タイプ4：ハーフスロットの構成がビットマップを備え、ハーフスロットのための予め規定された上位層構成のセットが何ら存在しなくてもよい。
【００９２】
幾つかの実施形態では、少なくとも1つのスロットフォーマットに関し、各ハーフスロットが独立した構成、すなわち、前述のタイプ1を有する。2つのハーフスロットのための構成は、GC−PDCCH内のSFIにおいて個別に示されてもよい。例えば、2つのフィールドが存在でき、1つのフィールドは第1のハーフスロットのためのフォーマット／構成を示し、他のフィールドは第2のハーフスロットのためのフォーマットを示す。一例が図6に示される。或いは、1つ及び2つのスイッチングポイント（各ハーフスロットが1つのスイッチングポイントを有する）の両方に基づいてスロットフォーマットを示すためにSFIを伝えるGC−PDCCHで1つのフィールドのみが使用される。この場合、ハーフスロットごとのスイッチングに基づいて示されるスロットフォーマットは、ハーフスロットのための異なる構成／フォーマットを備え、すなわち、第1及び第2のハーフスロットに関し、構成A及びBがそれぞれ示される。
【００９３】
幾つかの実施形態では、少なくとも1つのフォーマットに関し、両方のハーフスロットが同じ構成、すなわち、前述のタイプ2を有する。この場合、SFIは、各ハーフスロットで複製されるハーフスロットスイッチングに基づいて1つのフォーマットのみを示す。一例が図7に示される。1つの例では、1つ及び2つのスイッチングポイント（各ハーフスロットが1つのスイッチングポイントを有する）の両方に基づいてスロットフォーマットを示すためにSFIを伝えるGC−PDCCHで1つのフィールドが使用される。この場合、ハーフスロットごとのスイッチングに基づいて示されるスロットフォーマットは、両方のスロットに関して同じ構成／フォーマットを備える。
【００９４】
幾つかの実施形態では、少なくとも1つのフォーマットに関し、2つのハーフスロット内のフォーマットが相関されるが同一ではなく、例えば、相互のミラーであり、すなわち、前述のタイプ3である。1つのハーフスロットのフォーマットから、第2のハーフスロットのフォーマットを導き出すことができる。この場合も、1つのフォーマットだけがSFIで示される必要がある。幾つかの実施形態では、両方のハーフスロットが同じ構成を有するフォーマット／構成と、2つのハーフスロット内のフォーマットが相関されるフォーマット／構成との間で切り換わるべく、フラグ又は他の表示を使用することができる。一例が図8に示される。或いは、フラグが必要とされなくてもよい。ハーフスロットがミラー構成を有する幾つかのスロットフォーマットを構成できる。SFIを示すためのGC−PDCCHのフィールドを使用してそのようなスロットフォーマットを示すことができる。
【００９５】
幾つかの実施形態では、少なくとも1つのスロットフォーマットに関し、SFIは、シンボルがDL、UL、ガード又は不明（又はDL、UL、不明）であるかどうかをハーフスロット内のそれぞれのシンボルごとに示すビットマップベースのフォーマットインジケータである。ハーフスロットの構成は同じであってもよく又は異なっていてもよい。それらが同じであれば、ビットマップが1つのハーフスロットに関してのみ示される必要があってもよい。それらが異なる場合には、両方のハーフスロットのためのビットマップが示される必要がある。これは、例えば、シンボルごとに2ビットを伴って達成され得る。ビットマップは両方のハーフスロットに適用でき、又は、それぞれのハーフスロットごとに対応するビットマップを与えることができる。より一般的には、それぞれのシンボルごとにJ個の想定し得る状態／オプションが存在すれば、各シンボルをlog2J個のビットにより表わすことができる。例えば、各シンボルがDL又はUL又はガード又は不明となり得る場合には、K＝4である。図9には、それぞれのハーフスロットごとに必要な14ビットビットマップを使用する例が示される。幾つかの実施形態では、各シンボルが3つの状態のみを有し、すなわち、各シンボルはDL又はUL又は不明であってもよい。この場合、スロット内の14個のシンボルに関する状態の総数は最大で3＾14であり、また、シンボルは、14個のシンボルの全ての想定し得る状態を示すために最大でceil（log2（3＾14））個のビットを必要とする場合があり、ここで、ceil（．）は、次の整数値に対する丸み付けを意味する。
【００９６】
本発明の実施形態によって提供されるように、各ハーフスロット内の各シンボルのためのオプションの一例が以下に示される。各シンボルのための特定されたオプションの一意的な組み合わせとして各ハーフスロットの1つの構成を取得でき、また、スロットフォーマットは両方のハーフスロットの構成を備える。
【００９７】
【表５】
2020533916.tif 000007
【００９８】
幾つかの実施形態では、以下に挙げられる構成の任意の組み合わせの対を含む14シンボルスロットに関してフォーマットを示すことができ、すなわち、対は両方のハーフスロット又は異なる構成に関して同じ構成を示してもよい。
a）全てのDL（7個のシンボル）
b）全てのUL（7個のシンボル）
c）DL（NDL個のシンボル）の後にガード期間（Nguard個のシンボル）が続き、その後にUL（NUL個のシンボル）が続く。
・1≦NDL≦5，1≦Nguard≦5，1≦NUL≦5，NDL＋Nguard＋NUL＝7が適用される
d）UL（NUL個のシンボル）の後にガード期間（Nguard個のシンボル）が続き、その後にDL（NDL個のシンボル）が続く。
・1≦NUL≦5，1≦Nguard≦5，1≦NDL≦5，NUL＋Nguard＋NDL＝7が適用される
e）UL（NUL個のシンボル）の後にDL（NDL個のシンボル）が続き、その後にガード期間（Nguard個のシンボル）が続く
・1≦NUL≦5，1≦NDL≦5，1≦Nguard≦5，NUL＋NDL＋Nguard＝7が適用される
f）DL（NDL個のシンボル）の後に不明／予約済みシンボル（Nunknown個のシンボル）が続き、その後にガード期間（Nguard個のシンボル）が続き、その後にUL（NUL個のシンボル）が続く
・1≦NDL≦4，1≦Nunknown≦4，1≦Nguard≦4，1≦NUL≦4，NDL＋Nunknown＋Nguard＋NUL＝7が適用される
g）不明／予約済みシンボル（Nunknown個のシンボル）の後にDL（NDL個のシンボル）が続き、その後にガード期間（Nguard個のシンボル）が続き、その後にUL（NUL個のシンボル）が続く
・1≦Nunknown≦4，1≦NDL≦4，1≦Nguard≦4，1≦NUL≦4，Nunknown＋NDL＋Nguard＋NUL＝7が適用される
h）DL（NDL個のシンボル）、ガード期間（Nguard個のシンボル）の後に不明／予約済みシンボル（Nunknown個のシンボル）が続き、その後にUL（NUL個のシンボル）が続く
・1≦NDL≦4，1≦Nguard≦4，1≦Nunknown≦4，1≦NUL≦4，NDL＋Nguard＋Nunknown＋NUL＝7が適用される
i）DL（NDL個のシンボル）の後にガード期間（Nguard個のシンボル）が続き、その後にUL（NUL個のシンボル）が続き、その後に不明／予約済みシンボル（Nunknown個のシンボル）が続く
・1≦NDL≦4，1≦Nguard≦4，1≦NUL≦4，1≦Nunknown≦4，NDL＋Nguard＋NUL＋Nunknown＝7が適用される
j）UL（NUL個のシンボル）の後にガード期間（Nguard個のシンボル）が続き、その後に不明／予約済みシンボル（Nunknown個のシンボル）が続き、その後にDL（NDL個のシンボル）が続く
・1≦NUL≦4，1≦Nguard≦4，1≦Nunknown≦4，1≦NDL≦4，NUL＋Nguard＋Nunknown＋NDL＝7が適用される
k）UL（NUL個のシンボル）の後にガード期間（Nguard個のシンボル）が続き、その後にDL（NDL個のシンボル）が続き、その後に不明／予約済みシンボル（Nunknown個のシンボル）が続く
・1≦NUL≦4，1≦Nguard≦4，1≦NDL≦4，1≦Nunknown≦4，NUL＋Nguard＋NDL＋Nunknown＝7が適用される
l）UL（NUL個のシンボル）の後に不明／予約済みシンボル（Nunknown個のシンボル）が続き、その後にガード期間（Nguard個のシンボル）が続き、その後にDL（NDL個のシンボル）が続く
・1≦NUL≦4，1≦Nunknown≦4，1≦Nguard≦4，1≦NDL≦4，NUL＋Nunknown＋Nguard＋NDL＝7が適用される
m）DL（NDL個のシンボル）の後に不明（Nunknown＿1個のシンボル）が続き、その後にガード期間（Nguard個のシンボル）が続き、その後に不明（Nunknown＿2個のシンボル）が続き、その後にUL個のシンボル（NUL個のシンボル）が続く。
・1≦NDL≦3，1≦Nunknown＿1≦3，1≦Nguard≦3，1≦Nunknown＿2≦3，1≦NUL≦3，NDL＋Nguard＋NUL＋Nunknown＿1＋Nunknown＿2＝7が適用される
n）DL（NDL個のシンボル）の後にガード（Nguard個のシンボル）が続き、その後に不明（Nunknown個のシンボル）が続く
・1≦NDL≦5，1≦Nguard≦5，1≦Nunknown≦5，NDL＋Nguard＋Nunknown＝7が適用される
o）DL（NDL個のシンボル）の後に不明（Nunknown個のシンボル）が続き、その後にUL個のシンボル（NUL個のシンボル）が続く
・1≦NDL≦5，1≦Nunknown≦5，1≦NUL≦5，NDL＋Nunknown＋NUL＝7が適用される
p）DL（NDL個のシンボル）の後に不明（Nunknown個のシンボル）が続く
・1≦NDL≦6，1≦Nunknown≦6，NDL＋Nunknown＝7が適用される
q）UL（NUL個のシンボル）の後に不明（Nunknown個のシンボル）が続く
・1≦NUL≦6，1≦Nunknown≦6，NUL＋Nunknown＝7が適用される
r）UL（NUL個のシンボル）の後にDL個のシンボル（NDL個のシンボル）が続き、その後に不明（Nunknown個のシンボル）が続く
・1≦NUL≦5，1≦Nunknown≦5，1≦NDL≦5，NUL＋Nunknown＋NDL＝7が適用される
s）UL（NUL個のシンボル）の後に不明（Nunknown個のシンボル）が続く、
・1≦NUL≦6，1≦Nunknown≦6，NUL＋Nunknown＝7が適用される
t）UL（NUL個のシンボル）の後にDL個のシンボル（NDL個のシンボル）が続く
・1≦NUL≦6，1≦NDL≦6，NUL＋Nunknown＝7が適用される
U）不明（Nunknown個のシンボル）の後にUL個のシンボル（NUL個のシンボル）が続く
・1≦Nunknown≦6，1≦NUL≦6，Nunknown＋NUL＝7が適用される
v）不明（Nunknown個のシンボル）の後にUL個のシンボル（NUL個のシンボル）が続き、その後にDL個のシンボル（NDL）が続く
・1≦Nunknown≦5，1≦NUL≦5，1≦NDL≦5，Nunknown＋NUL＋NDL＝7が適用される
・v）不明（Nunknown＿1個のシンボル）の後にUL個のシンボル（NUL個のシンボル）が続き、その後にDL個のシンボル（NDL）が続き、その後に不明（Nunknown＿2個のシンボル）が続く
・1≦Nunknown＿1≦4，1≦NUL≦4，1≦NDL≦4，1≦Nunknown＿1≦4，Nunknown＿1＋NUL＋NDL＋Nunknown＿2＝7が適用される。
【００９９】
前述のように、ガードシンボルはフォーマットで明示的に示されなくてもよく、不明のみが示される。モバイルデバイスの観点から、送信されず受信されない不明／ガード／予約済み／ブランクと称されるシンボルに関する挙動は同じとなり得る。
【０１００】
フォーマット例
以下の表1は、ハーフスロットフォーマット／構成の例のセットをリストアップする。表の第1の縦列に示されるように、各例は、先に要約された構成のうちの1つと一致している。各例は、7個のシンボルのそれぞれについて、シンボルがUL、DL、ガード（G）、又は、不明／予約済みUKWN）かどうかを示す。幾つかの実施形態では、SFIを伝えるGC−PDCCH内のフィールドを使用して、表1のフォーマット／構成のうちの1つを示すことができる。より一般的には、SFIを伝えるGC−PDCCH内のフィールドを使用して、表1のハーフスロットの構成のうちの少なくとも1つを含むフォーマットのセットからフォーマットを示すことができる。この表示は、1つ又は複数のスロットに適用できる。各ハーフスロットの構成／フォーマットは、GC−PDCCH内の別個のフィールドで示され得る。或いは、1つのフィールドを使用してフルスロットのためのSFIを示すことができ、この場合、スロットベースの切り換え及びハーフスロットベースの切り換えの両方に基づくフォーマットが示される。
【０１０１】
表1には、ハーフスロットに基づく構成例が示される。一般に、フォーマットは、フィールドがスロットのためのSFIを示すために使用される場合にフルスロットのための構成を示すためにこれらの構成（繰り返しを含む）から形成される対を示すことができる。「G」として特定されるシンボルは、ギャップが明示的に信号で伝えられなければ前述のように不明（UKWN）に置き換えることもできる。
【０１０２】
【表６】
2020533916.tif 000008
【０１０３】
以下の表2Aは、2つのハーフスロット間でのフォーマットの繰り返しを特徴とするハーフスロットスイッチングを伴うスロットフォーマットの例のセットをリストアップする。各例は、14個のシンボルのそれぞれについて、シンボルがUL、DL、ガード（G）又は不明／予約済みUKWN）かどうかを示す。幾つかの実施形態では、SFIを伝えるGC−PDCCH内のフィールドを使用して、表2のフォーマットのうちの1つを示すことができる。より一般的には、SFIを伝えるGC−PDCCH内のフィールドを使用して、表2のフォーマットのうちの少なくとも1つを含むフォーマットのセットからフォーマットを示すことができる。この表示は、1つ又は複数のスロットに適用できる。「G」として特定されるシンボルは、先の例で述べたように「UKWN」として置き換えることができる。
【０１０４】
【表７】
2020533916.tif 000009
【０１０５】
以下の表2Bは、2つのハーフスロット間でのフォーマットの繰り返しを特徴とするハーフスロットスイッチングを伴うスロットフォーマットの例の他のセットをリストアップする。各例は、14個のシンボルのそれぞれについて、シンボルがUL、DL、不明（UKWN）かどうかを示す。
【０１０６】
【表８】
2020533916.tif 000010
【０１０７】
表2Bの各横列は、GがUKWNに置き換えられた表2Aの横列であることに留意されたい。
【０１０８】
以下の表3は、2つのハーフスロットにおける異なる構成を特徴とするハーフスロットスイッチングを伴うスロットフォーマットの例のセットをリストアップする。各例は、14個のシンボルのそれぞれについて、シンボルがUL、DL、ガード（G）又は不明／予約済みUKWN）かどうかを示す。幾つかの実施形態では、SFIを伝えるGC−PDCCH内のフィールドを使用して、表3のフォーマットのうちの1つを示すことができる。より一般的には、SFIを伝えるGC−PDCCH内のフィールドを使用して、表3のフォーマットのうちの少なくとも1つを含むフォーマットのセットからフォーマットを示すことができる。この表示は、1つ又は複数のスロットに適用できる。「G」として特定されるシンボルは、先の例で述べたように「UKWN」として置き換えることができる。
【０１０９】
【表９】
2020533916.tif 000011
【０１１０】
別の実施形態では、SFIを伝えるGC−PDCCHがM個のフィールドを含み、この場合、各フィールドは、L個のスロットのグループ内の1つ以上のスロットのそれぞれのグループのために使用されるべきフォーマットを示し、1≦M＜Lである。例えば、上記の表1、2又は3のうちの1つ以上に基づくインジケータがそれぞれのグループごとに使用されてもよい。
【０１１１】
幾つかの実施形態において、単一の表は、7シンボルベースのスイッチングフォーマット及び14シンボルベースのスイッチングフォーマットの両方を含む。例えば、J個のサポートされたフォーマットを伴う上位層構成された又は予め規定された表が存在し得る。SFIを伝えるGC−PDCCH内のフィールドを使用して、J個のフォーマットのうちの1つを示すことができる。或いは、M個のフィールドが存在することができ、この場合、各フィールドは、少なくとも1つのスロットのそれぞれのグループのために使用されるべきフォーマットを示し、SFIを示すGC−DCIの範囲はL個のスロットであり、1≦M＜Lである。図10には、14シンボルベースのスイッチングを伴うフォーマットのセットと、7シンボルベースのスイッチングを伴うフォーマットのセットとを示す例が示される。7シンボルベース又はハーフスロットベースのスイッチングに基づくフォーマットは、繰り返し、又は、2つのハーフスロットのための異なる構成を含んでもよい。
【０１１２】
幾つかの実施形態では、7シンボルベースのスイッチングと14シンボルベースのスイッチングとを示すために別個の表が使用される。特定の例では、第1の表に規定される14個のシンボルごとに切り換えるための合計でI個のフォーマットと、第2の表におけるハーフスロットにつき7個のシンボルごとに切り換えるための合計でJ個のフォーマットとが存在する。図11は、この手法の一例を示す。
【０１１３】
幾つかの実施形態では、単一のGC−PDCCHを使用して、いずれかの表から選択されるフォーマットを示してもよい。フィールドをlog2（max（I，J））個のビットで実施して、スロットフォーマットを示すことができ、ここで、I＝Jの場合、log2 I個のビットが使用される。示されたフォーマットのために何れの表が使用されているのかを示すために更なるフィールドが使用されてもよい。
【０１１４】
幾つかの実施形態では、2つの表（14シンボルベース及び7シンボルベースのスイッチング）におけるフォーマットを示すために別個のGC−PDCCHが使用される。所定のモバイルデバイスは、1つのタイプ又は両方のGC−PDCCHを監視するように構成されてもよい。
【０１１５】
モバイルデバイスが両方のタイプを監視する場合には、対応するGC−PDCCHが同じ又は異なる制御リソースセット（CORESET）で受信されてもよい。
【０１１６】
他の実施形態では、3つの表が使用される。第1の表は、スロットごとに1つのスイッチングのためのフォーマットを含む。第2の表は、スロットごとに2つのスイッチングのためのフォーマット、各ハーフスロットにおける同じ又はミラー（或いはさもなければ相関）フォーマットを含む。第3の表は、各ハーフスロットで異なるフォーマットを伴う、スロットごとに2つのスイッチングのためのフォーマットをリストアップする。
【０１１７】
幾つかの実施形態では、全ての表からのフォーマットを示すために1つのGC−PDCCHが使用される。すなわち、フィールドを使用して、log2（max（I，J，K））個のビットを伴う構成／フォーマットを示すことができ、ここで、I＝K＝Jの場合には、log2 I個のビットが使用される。何れの表が使用されているかを示すために更なるフィールドが含まれてもよい。例えば、この更なるフィールドは、2ビット、00→第1の表、01→第2の表（繰り返し）、10→第2の表（ミラー）、11→第3の表3を有してもよい。
【０１１８】
幾つかの実施形態では、第1、第2、及び、第3の表のそれぞれからのフォーマットを示すために別個のGC−PDCCHが使用される。GC−PDCCHは、ミラー又は繰り返しを示すために第2の表のためのフィールド又はフラグを含んでもよい。
【０１１９】
幾つかの実施形態において、「GP」は、SFIで明示的に示されなくてもよい。その場合、「GP」は「不明」として示されてもよい。また、モバイルデバイスは、このシンボルがギャップ（GP）であるか否かを得るための他の方法に依存してもよい。この開示においてここで説明される全てのフォーマットに関し、GPを「不明」に置き換えることができる。
【０１２０】
1つの実施形態において、前述の全てのフォーマット及び構成は、PDCCHにおいてではなく、例えばRRCシグナリング又はシステム情報により、UEに対して半静的に示され得る。
【０１２１】
前述の実施形態では、スロットごとにK個のスイッチングポイントがある。幾つかの実施形態では、ハーフスロットごとにK個のスイッチングポイントがあり、以下、幾つかの例について説明する。
【０１２２】
1つの実施形態では、スロットの第1の持続時間内に2つ以上のスイッチングポイントが存在でき、例えば、第1の持続時間がハーフスロットとなり得るとともに、ハーフスロットが第1のハーフスロット又は第2のハーフスロットとなり得る。1つの例では、複数のスイッチングポイントを伴う持続時間の構成を以下のように示すことができる。
DL（NDL、1個のシンボル）の後に不明（Nunknown、1個のシンボル）が続き、その後にUL個のシンボル（NUL、1個のシンボル）が続き、その後にDL（NDL、2個のシンボル）が続き、その後に不明（Nunknown、2個のシンボル）が続き、その後にUL個のシンボル（NUL、2個のシンボル）が続き、ここで、0≦｛NDL，1，Nunknown，1，NUL，1，NDL，2，Nunknown，2，NUL，2｝≦5であり、この場合、第1の持続時間内のシンボルの数が7であれば、NDL，1＋Nunknown，1＋NUL，1＋NDL，2＋Nunknown，2＋NUL，2＝7が適用される。
【０１２３】
以下に、ハーフスロットが複数のスイッチングポイントを備える表が与えられる。以下に示されるエントリは単なる例であり、複数のスイッチングを伴う他の異なる構成も想定し得ることが理解されるべきである。第1及び第2のハーフスロットの構成は、示されたSFIでは同じとなり得る又は異なり得る。
【０１２４】
【表１０】
2020533916.tif 000012
【０１２５】
SFI及びヌメロロジー
幾つかの実施形態において、示されるSFIは、デフォルト／参照ヌメロロジーに基づいている。他のアクティブ／共存ヌメロロジーのためのスロットフォーマットは、スケーラブルな関係に基づいて導き出される。例えば、ヌメロロジーのFDMに関し、スイッチングポイントはキャリア内のヌメロロジー全体にわたって位置合わせされる。SFIは、参照ヌメロロジーを伴って構成されるCORESET内のGC−PDCCHでのみ受信されてもよく、或いは、それぞれのヌメロロジーごとにSFIが受信されてもよい。
【０１２６】
図12Aは、1100で示される参照ヌメロロジーにしたがった14個のシンボルを有するスロットの一例を示す。図示の例では、1つのスイッチングポイント1102が存在する。また、1104で示される他のヌメロロジーの28個のシンボルも示され、これらのシンボルは、第2のヌメロロジーの2つのシンボルが参照ヌメロロジーの1つのシンボルと同じ時間を占めるという点で参照ヌメロロジーとスケーラブルな関係を有する。スイッチングポイントは、2つのヌメロロジーの全体にわたって位置合わせされる。図12Bは、それぞれが2つのヌメロロジーの全体にわたって位置合わせされる2つのスイッチングポイント1106，1108を伴う第2の例を示す。
【０１２７】
1つの例において、SFIは、キャリア又はアクティブ帯域幅部分で使用される参照ヌメロロジー又は現在のアクティブヌメロロジーに基づいて示される。ヌメロロジーにスイッチが存在する場合、すなわち、モバイルデバイスが第1のヌメロロジーと関連付けられる1つの帯域幅部分からPDCCHなどの第2のヌメロロジーベースのL1シグナリングと関連付けられる第2の帯域幅部分に切り換わる場合、モバイルデバイスは、第2のヌメロロジーに基づくスロットフォーマットのための新たな帯域幅部分の共通の検索スペース内の更新されたSFIを受信してもよい。第1の帯域幅で受信されるPDCCHは、異なるヌメロロジーと関連付けられる第2の帯域幅部分をUEに対して示してもよい。その場合、モバイルデバイスは、SFIを伝えるGC−PDCCHを、第2の帯域幅部分内の第1の想定し得る共通検索スペース位置で見出すように構成されてもよい。
【０１２８】
図13は、ホストデバイスにインストールされてもよい、本明細書中に記載される方法を実行するための処理システム1800の一実施形態のブロック図である。図示のように、処理システム1800は、プロセッサ1804、メモリ1806、及び、インタフェース1810〜1814を含み、これらは図13に示されるように配置されてもよい（又はされなくてもよい）。プロセッサ1804は、計算及び／又は他の処理関連タスクを実行するようになっている任意の構成要素又は一群の構成要素であってもよく、また、メモリ1806は、プロセッサ1804による実行のためのプログラミング及び／又は命令を記憶するようになっている任意の構成要素又は一群の構成要素であってもよい。一実施形態では、メモリ1806が持続性コンピュータ可読媒体を含む。インタフェース1810、1812、1814は、処理システム1800が他のデバイス／構成要素及び／又はユーザと通信できるようにする任意の構成要素又は一群の構成要素であってもよい。例えば、インタフェース1810、1812、1814のうちの1つ以上は、プロセッサ1804からのデータ、制御、又は、管理メッセージをホストデバイス及び／又は遠隔デバイスでインストールされるアプリケーションに通信するようになっていてもよい。他の例として、インタフェース1810、1812、1814のうちの1つ以上は、ユーザ又はユーザデバイス（例えば、パーソナルコンピュータ（PC）など）が処理システム1800と相互作用／通信できるようにするべく適合されてもよい。処理システム1800は、長期記憶装置（例えば、不揮発メモリなど）など、図13に描かれない付加的な構成要素を含んでもよい。
【０１２９】
幾つかの実施形態において、処理システム1800は、遠隔通信ネットワークにアクセスしている又はさもなければ遠隔通信ネットワークの一部であるネットワークデバイスに含まれる。一例において、処理システム1800は、基地局、中継局、スケジューラ、コントローラ、ゲートウェイ、ルータ、アプリケーションサーバ、又は、遠隔通信ネットワーク内の任意の他のデバイスなどの無線又は有線遠隔通信ネットワーク内のネットワーク側デバイス内にある。そのような実施形態において、処理システムは、本明細書中に記載される方法のうちの1つを使用してSFIを送信する及びSFIにしたがって送信及び受信するように構成される。
【０１３０】
他の実施形態において、処理システム1800は、移動局、ユーザ機器（UE）、パーソナルコンピュータ（PC）、タブレット、ウェアラブル通信デバイス（例えば、スマートウォッチなど）、又は、遠隔通信ネットワークにアクセスするようになっている任意の他のデバイスなどの無線又は有線遠隔通信ネットワークにアクセスするユーザ側デバイス内にある。そのような実施形態において、処理システムは、本明細書中に記載される方法のうちの1つを使用してSFIを受信する及びSFIにしたがって送信及び受信するように構成される。
【０１３１】
幾つかの実施形態において、インタフェース1810、1812、1814のうちの1つ以上は、遠隔通信ネットワークを介してシグナリングを送受信するようになっているトランシーバに対して処理システム1800を接続する。
【０１３２】
図14は、遠隔通信ネットワークを介してシグナリングを送受信するようになっているトランシーバ1900のブロック図である。トランシーバ1900はホストデバイスに設置されてもよい。図示のように、トランシーバ1900は、ネットワーク側インタフェース1902、カプラ1904、送信機1906、受信機1908、信号プロセッサ1910、及び、デバイス側インタフェース1912を備える。ネットワーク側インタフェース1902は、無線又は有線遠隔通信ネットワークを介してシグナリングを送信又は受信するようになっている任意の構成要素又は一群の構成要素を含んでもよい。カプラ1904は、ネットワーク側インタフェース1902を介した双方向通信を容易にするようになっている任意の構成要素又は一群の構成要素を含んでもよい。送信機1906は、ベースバンド信号をネットワーク側インタフェース1902を介した送信に適した変調搬送波信号に変換するようになっている任意の構成要素又は一群の構成要素（例えば、アップコンバータ、電力増幅器など）を含んでもよい。受信機1908は、ネットワーク側インタフェース1902を介して受信される搬送波信号をベースバンド信号に変換するようになっている任意の構成要素又は一群の構成要素（例えば、ダウンコンバータ、低雑音増幅器など）を含んでもよい。信号プロセッサ1910は、ベースバンド信号をデバイス側インタフェース1912を介した通信に適したデータ信号に変換する又はその逆に変換するようになっている任意の構成要素又は一群の構成要素を含んでもよい。デバイス側インタフェース1912は、信号プロセッサ1910とホストデバイス内の構成要素（例えば、処理システム1800、ローカルエリアネットワーク（LAN）ポートなど）との間でデータ信号を通信するようになっている任意の構成要素又は一群の構成要素を含んでもよい。
【０１３３】
トランシーバ1900は、任意のタイプの通信媒体を介してシグナリングを送受信してもよい。幾つかの実施形態において、トランシーバ1900は無線媒体を介してシグナリングを送受信する。例えば、トランシーバ1900は、セルラープロトコル（例えば、ロングタームエボリューション（LTE）など）、無線ローカルエリアネットワーク（WLAN）プロトコル（例えば、Wi−Fiなど）、又は、任意の他のタイプの無線プロトコル（例えば、ブルートゥース(登録商標)、近距離無線通信（NFC）など）などの無線遠隔通信プロトコルにしたがって通信するようになっている無線トランシーバであってもよい。そのような実施形態では、ネットワーク側インタフェース1902が1つ以上のアンテナ／放射素子を備える。例えば、ネットワーク側インタフェース1902は、単一アンテナ、複数の別個のアンテナ、又は、マルチレイヤ通信用に構成されたマルチアンテナアレイ、例えば単一入力多出力（SIMO）、多入力単一出力（MISO）、多入力多出力（MIMO）などを含んでもよい。他の実施形態において、トランシーバ1900は、有線媒体、例えばツイストペアケーブル、同軸ケーブル、光ファイバなどを介してシグナリングを送受信する。特定の処理システム及び／又はトランシーバは、図示の構成要素の全て又は構成要素のサブセットのみを利用してもよく、また、集積のレベルがデバイスごとに異なってもよい。
【０１３４】
図15は、無線通信の方法のフローチャートである。方法は、ユーザ機器によって基地局からスロットフォーマット情報を受信することを伴うブロック1500で始まる。SFIは、少なくとも1つのスロット形成構成を示し、少なくともスロット形成構成のそれぞれは、1つのスロットの第1の持続時間内のシンボルと関連付けられる第1の構成と、スロットの第2の持続時間内のシンボルと関連付けられる第2の構成とを備え、第1の構成は、少なくとも1つのアップリンクシンボルの位置及び少なくとも1つのダウンリンクシンボルの位置を示し、第2の構成は、少なくとも1つのアップリンクシンボルの位置及び少なくとも1つのダウンリンクシンボルの位置を示す。第1の構成は、第1のハーフスロットに少なくとも1つの第1のスイッチングポイントを備え、第2の構成は、第2のハーフスロットに少なくとも第2のスイッチングポイントを備える。方法は、ユーザ機器によってスロット形成構成に基づいてダウンリンクデータ送信又はアップリンクデータ送信を通信することを伴うブロック1502に続く。
【０１３５】
図16は、無線通信の他の方法のフローチャートである。方法は、基地局（BS）によってスロットフォーマット情報（SFI）をユーザ機器に送信することを伴うブロック1600で始まる。SFIは、少なくとも1つのスロット形成構成を示し、少なくともスロット形成構成のそれぞれは、1つのスロットの第1の持続時間内のシンボルと関連付けられる第1の構成と、スロットの第2の持続時間内のシンボルと関連付けられる第2の構成とを備え、第1の構成は、少なくとも1つのアップリンクシンボルの位置及び少なくとも1つのダウンリンクシンボルの位置を示し、第2の構成は、少なくとも1つのアップリンクシンボルの位置及び少なくとも1つのダウンリンクシンボルの位置を示す。第1の構成は、第1のハーフスロットに少なくとも1つの第1のスイッチングポイントを備え、第2の構成は、第2のハーフスロットに少なくとも第2のスイッチングポイントを備える。方法は、スロット形成構成に基づいてダウンリンクデータ送信又はアップリンクデータ送信を基地局によって通信することを伴うブロック1602に続く。
【０１３６】
図15はUEの観点からの方法であり、図16はネットワークの観点からの方法である。システム全体の観点からの方法は、図15及び図16の方法を組み合わせることによって実現される。2つの方法は、先に詳述されたSFIのための特定のオプションのいずれかを利用できる。幾つかの実施形態では、図13のUEが図15の方法を実施するように構成され、また、図14の基地局は図16の方法を実施するように構成される。この場合も先と同様に、UE又は基地局は、先に詳述されたSFIのための特定のオプションのいずれかを利用するように構成され得る。
【０１３７】
説明を詳しく記載してきたが、添付の特許請求の範囲により規定されるこの開示の思想及び範囲から逸脱することなく様々な変更、置換、及び、変形を行なうことができることが理解されるべきである。更に、本開示の範囲は、本明細書中に記載される特定の実施形態に限定されるように意図されておらず、当業者であればこの開示から容易に分かるように、現在存在する又は今後開発されるべきプロセス、機械、製造、物質の組成、手段、方法、又は、ステップは、本明細書中に記載される対応する実施形態と実質的に同じ機能を果たし得る又は実質的に同じ結果を達成し得る。したがって、添付の特許請求の範囲は、そのようなプロセス、機械、製造、物質の組成、手段、方法、又は、ステップをそれらの範囲内に含むように意図される。
【０１３８】
本発明の1つの態様によれば、無線通信の方法が提供され、該方法は、ユーザデバイスによって、基地局（BS）からスロットフォーマット情報（SFI）を受信するステップであって、SFIが少なくとも1つのスロット形成構成を示し、少なくともスロット形成構成のそれぞれが、1つのスロットの第1の持続時間内のシンボルと関連付けられる第1の構成と、スロットの第2の持続時間内のシンボルと関連付けられる第2の構成とを備え、第1の構成及び第2の構成が、少なくとも1つのアップリンクシンボルの位置及び少なくとも1つのダウンリンクシンボルの位置を示す、ステップと、ユーザデバイスによって、スロット形成構成に基づいてダウンリンクデータ送信又はアップリンクデータ送信を通信するステップとを含む。
【０１３９】
随意的に、先の実施形態のいずれかにおいて、第1の構成は、第1のハーフスロット内に少なくとも1つの第1のスイッチングポイントを備え、第2の構成は、第2のハーフスロット内に少なくとも第2のスイッチングポイントを備える。
【０１４０】
随意的に、先の実施形態のいずれかにおいて、第1のスイッチングポイント及び第2のスイッチングポイントは、ダウンリンク送信方向からアップリンク送信方向へのスイッチングを示し、又は、アップリンク送信方向からダウンリンク送信方向へのスイッチングを示す。
【０１４１】
随意的に、先の実施形態のいずれかにおいて、第1のスイッチングポイント及び第2のスイッチングポイントは、少なくとも1つのガードシンボルの位置又は1つ以上の不明シンボルの位置を示す。
【０１４２】
随意的に、先の実施形態のいずれかにおいて、ユーザデバイスによって、所定の関係に基づいてSFIから第1の構成及び第2の構成を取得するステップ、又は、ユーザデバイスによってSFIから少なくとも1つのスロット形成構成を直接に取得するステップを更に含む。
【０１４３】
随意的に、先の実施形態のいずれかにおいて、SFIは、スロット又はスロットのグループに関する少なくとも1つのスロット形成構成を示す。
【０１４４】
随意的に、先の実施形態のいずれかにおいて、各スロットが14個のシンボルを有し、第1及び第2の持続時間のそれぞれが7個のシンボルである。
【０１４５】
随意的に、先の実施形態のいずれかにおいて、第1の構成及び第2の構成は、第1の持続時間及び第2の持続時間において同じ構成を有する。
【０１４６】
随意的に、先の実施形態のいずれかにおいて、スロットフォーマット情報を受信するステップは、グループ共通物理ダウンリンク制御チャネル（GC−PDCCH）を監視することを含む。
【０１４７】
随意的に、先の実施形態のいずれかにおいて、スロットフォーマット情報を受信するステップは、グループ共通制御信号を監視することを含む。
【０１４８】
随意的に、先の実施形態のいずれかにおいて、スロットフォーマット情報を受信するステップは、RRCシグナリングなどの半静的信号を監視することを含む。
【０１４９】
随意的に、先の実施形態のいずれかにおいて、スロットフォーマット情報は、ユーザデバイスによって記憶される複数の構成のうちの1つを示す。
【０１５０】
随意的に、先の実施形態のいずれかにおいて、方法は、複数の構成を規定するシグナリングを受信することを更に含む。
【０１５１】
随意的に、先の実施形態のいずれかにおいて、受信されたスロットフォーマット情報は、第1及び第2の表の一方又は両方の1つ又は複数のフォーマットを指し、第1の表は、スロットの第1及び第2の持続時間を構成するのに用いる7シンボル持続時間を伴うスロットフォーマットを含み、第2の表は、スロット全体を構成するのに用いる14シンボルを伴うスロットフォーマットを含む。
【０１５２】
随意的に、先の実施形態のいずれかにおいて、受信されたスロットフォーマット情報は、フォーマットが第1の表からのものであることを示し、又は、フォーマットが第2の表からのものであることを示す。
【０１５３】
随意的に、先の実施形態のいずれかにおいて、受信されたスロットフォーマット情報は、7シンボルベースのスイッチングを伴うスロットフォーマットを含むとともに14シンボルベースのスイッチングを伴うスロットフォーマットを含む表中のフォーマットを指す。
【０１５４】
随意的に、先の実施形態のいずれかにおいて、受信されたスロットフォーマット情報は、第1の持続時間のためのフォーマットを示すとともに、第2の持続時間のフォーマットが第1の持続時間のフォーマットと同じであることを示す。
【０１５５】
随意的に、受信されたスロットフォーマット情報は、第1の持続時間のためのフォーマットを示すとともに、第2の持続時間のフォーマットが第1の持続時間のフォーマットのミラーであることを示す。
【０１５６】
本発明の他の態様によれば、本明細書中に記載される方法を実施するように構成されるプロセッサ及びメモリを備えるユーザデバイスが提供される。
【０１５７】
本発明の他の態様によれば、無線通信の方法が提供され、該方法は、基地局（BS）によって、スロットフォーマット情報（SFI）をユーザデバイスに送信するステップであって、SFIが少なくとも1つのスロット形成構成を示し、少なくともスロット形成構成のそれぞれが、1つのスロットの第1の持続時間内のシンボルと関連付けられる第1の構成と、スロットの第2の持続時間内のシンボルと関連付けられる第2の構成とを備え、第1の構成及び第2の構成が、少なくとも1つのアップリンクシンボルの位置及び少なくとも1つのダウンリンクシンボルの位置を示す、ステップと、基地局によって、スロット形成構成に基づいてダウンリンクデータ送信又はアップリンクデータ送信を通信するステップとを含む。
【０１５８】
随意的に、先の実施形態のいずれかにおいて、第1の構成は、第1のハーフスロット内に少なくとも1つの第1のスイッチングポイントを備え、第2の構成は、第2のハーフスロット内に少なくとも第2のスイッチングポイントを備える。
【０１５９】
随意的に、先の実施形態のいずれかにおいて、第1のスイッチングポイント及び第2のスイッチングポイントは、ダウンリンク送信方向からアップリンク送信方向へのスイッチングを示し、又は、アップリンク送信方向からダウンリンク送信方向へのスイッチングを示す。
【０１６０】
随意的に、先の実施形態のいずれかにおいて、第1のスイッチングポイント及び第2のスイッチングポイントは、少なくとも1つのガードシンボルの位置又は1つ以上の不明シンボルの位置を示す。
【０１６１】
随意的に、先の実施形態のいずれかにおいて、SFIからの第1の構成及び第2の構成は所定の関係に基づいている。
【０１６２】
随意的に、先の実施形態のいずれかにおいて、SFIは、スロット又はスロットのグループに関する少なくとも1つのスロット形成構成を示す。
【０１６３】
随意的に、先の実施形態のいずれかにおいて、各スロットが14個のシンボルを有し、第1及び第2の持続時間のそれぞれが7個のシンボルである。
【０１６４】
随意的に、先の実施形態のいずれかにおいて、第1の構成及び第2の構成は、第1の持続時間及び第2の持続時間において同じ構成を有する。
【０１６５】
随意的に、先の実施形態のいずれかにおいて、スロットフォーマット情報を送信するステップは、グループ共通物理ダウンリンク制御チャネル（GC−PDCCH）を送信することを含む。
【０１６６】
随意的に、先の実施形態のいずれかにおいて、スロットフォーマット情報を送信するステップは、グループ共通制御信号を送信することを含む。
【０１６７】
随意的に、先の実施形態のいずれかにおいて、スロットフォーマット情報を送信するステップは、RRCシグナリングなどの半静的信号を送信することを含む。
【０１６８】
随意的に、先の実施形態のいずれかにおいて、スロットフォーマット情報は、ユーザデバイスによって記憶される複数の構成のうちの1つを示す。
【０１６９】
随意的に、先の実施形態のいずれかにおいて、方法は、複数の構成を規定するシグナリングを送信することを更に含む。
【０１７０】
随意的に、先の実施形態のいずれかにおいて、送信された情報は、第1及び第2の表の一方又は両方の1つ又は複数のフォーマットを指し、第1の表は、スロットの第1及び第2の持続時間を構成するのに用いる7シンボル持続時間を伴うスロットフォーマットを含み、第2の表は、スロット全体を構成するのに用いる14シンボルを伴うスロットフォーマットを含む。
【０１７１】
随意的に、先の実施形態のいずれかにおいて、送信されたスロットフォーマット情報は、フォーマットが第1の表からのものであることを示し、又は、フォーマットが第2の表からのものであることを示す。
【０１７２】
随意的に、先の実施形態のいずれかにおいて、送信されたスロットフォーマット情報は、7シンボルベースのスイッチングを伴うスロットフォーマットを含むとともに14シンボルベースのスイッチングを伴うスロットフォーマットを含む表中のフォーマットを指す。
【０１７３】
随意的に、先の実施形態のいずれかにおいて、送信されたスロットフォーマット情報は、第1の持続時間のためのフォーマットを示すとともに、第2の持続時間のフォーマットが第1の持続時間のフォーマットと同じであることを示す。
【０１７４】
随意的に、先の実施形態のいずれかにおいて、送信されたスロットフォーマット情報は、第1の持続時間のためのフォーマットを示すとともに、第2の持続時間のフォーマットが第1の持続時間のフォーマットのミラーであることを示す。
【０１７５】
本発明の他の態様によれば、本明細書中に記載される方法を実施するように構成されるプロセッサ及びメモリを備える基地局が提供される。
【０１７６】
上記の教示に照らして、本開示の多数の修正及び変形が可能である。したがって、添付の特許請求の範囲内で本明細書中に具体的に記載されているのとは別の方法で本開示を実施できることが理解されるべきである。
【符号の説明】
【０１７７】
100  通信システム
130  コアネットワーク
150  インターネット
160  他のネットワーク
170  基地局
170a  基地局
170b  基地局
190  エアインタフェース
200  処理ユニット
202  トランシーバ
206  入力／出力デバイス
208  メモリ
250  処理ユニット
253  スケジューラ
254  受信機
256  アンテナ
258  メモリ
266  入力／出力デバイス、インタフェース
1804  プロセッサ
1806  メモリ
1810  インタフェース
1812  インタフェース
1814  インタフェース
1902  ネットワーク側インタフェース
1904  カプラ
1906  送信機
1908  受信機
1910  信号プロセッサ
1912  デバイス側インタフェース
【図１Ａ】
2020533916.tif 000017
【図１Ｂ】
2020533916.tif 000018
【図１Ｃ】
2020533916.tif 000019
【図１Ｄ】
2020533916.tif 000020
【図２】
2020533916.tif 000021
【図３】
2020533916.tif 000022
【図４】
2020533916.tif 000023
【図５】
2020533916.tif 000024
【図６】
2020533916.tif 000025
【図７】
2020533916.tif 000026
【図８】
2020533916.tif 000027
【図９】
2020533916.tif 000028
【図１０】
2020533916.tif 000029
【図１１】
2020533916.tif 000030
【図１２Ａ】
2020533916.tif 000031
【図１２Ｂ】
2020533916.tif 000032
【図１３】
2020533916.tif 000033
【図１４】
2020533916.tif 000034
【図１５】
2020533916.tif 000035
【図１６】
2020533916.tif 000036
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
無線通信の方法であって、前記方法は、
ユーザ機器によって、基地局（BS）からスロットフォーマット情報（SFI）を受信するステップであって、
前記SFIが少なくとも1つのスロット形成構成を示し、前記少なくとも1つのスロット形成構成のそれぞれが、スロットの第1の半分内のシンボルと関連付けられる第1の構成と、前記スロットの第2の半分内のシンボルと関連付けられる第2の構成とを備え、前記第1の構成が少なくとも1つのアップリンクシンボルの位置及び少なくとも1つのダウンリンクシンボルの位置を示し、前記第2の構成が少なくとも1つのアップリンクシンボルの位置及び少なくとも1つのダウンリンクシンボルの位置を示す、ステップと、
前記ユーザ機器によって、前記スロット形成構成に基づいてダウンリンクデータ送信又はアップリンクデータ送信を通信するステップであって、
前記第1の構成は、前記スロットの前記第1の半分内に少なくとも1つの第1のスイッチングポイントを備え、前記第2の構成は、前記スロットの前記第2の半分内に少なくとも第2のスイッチングポイントを備え、
前記スロットの前記第1の半分内の前記第１の構成が前記スロットの前記第2の半分内の前記第2の構成と同じである、ステップと、
を含む、方法。
【請求項２】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項1に記載の方法。
【請求項３】
前記第1のスイッチングポイント及び前記第2のスイッチングポイントは、少なくとも1つのガードシンボルの位置又は1つ以上の不明シンボルの位置を示す、請求項2に記載の方法。
【請求項４】
前記ユーザ機器によって、所定の関係に基づいて前記SFIから前記第1の構成及び前記第2の構成を取得するステップ
を更に含む、請求項1から3のいずれか一項に記載の方法。
【請求項５】
スロットフォーマット情報を受信する前記ステップは、
グループ共通の物理ダウンリンク制御チャネル（GC−PDCCH）；
グループ共通制御信号；
準静的信号、
のうちのいずれか1つを監視することを含む、請求項1から4のいずれか一項に記載の方法。
【請求項６】
前記少なくとも1つのスロットフォーマット構成は、以下の表のフォーマットのうちの少なくとも1つを含むフォーマットのセットからのフォーマットを有し、
【表１】
2020533916.tif 000037
ここで、「UKWN」として特定されるシンボルは、ダイナミックシグナリングによりDLシンボル又はULシンボルによってオーバーライドされ得る、請求項1から5のいずれか一項に記載の方法。
【請求項７】
基地局（BS）からスロットフォーマット情報（SFI）を受信し、
少なくとも1つのスロット形成構成に基づいてダウンリンクデータ送信又はアップリンクデータ送信を通信する、
ように構成される少なくとも1つのプロセッサと、
前記少なくとも1つのプロセッサに結合されるメモリと、
を備え、
前記SFIが少なくとも1つのスロット形成構成を示し、前記少なくとも1つのスロット形成構成のそれぞれは、スロットの第1の半分内のシンボルと関連付けられる第1の構成と、前記スロットの第2の半分内のシンボルと関連付けられる第2の構成とを備え、前記第1の構成は、少なくとも1つのアップリンクシンボルの位置及び少なくとも1つのダウンリンクシンボルの位置を示し、前記第2の構成は、少なくとも1つのアップリンクシンボルの位置及び少なくとも1つのダウンリンクシンボルの位置を示し、
前記第1の構成は、前記スロットの前記第1の半分内に少なくとも1つの第1のスイッチングポイントを備え、前記第2の構成は、前記スロットの前記第2の半分内に少なくとも第2のスイッチングポイントを備え、
前記スロットの前記第1の半分内の前記第１の構成が前記スロットの前記第2の半分内の前記第2の構成と同じである、
ユーザ機器（UE）。
【請求項８】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項7に記載のUE。
【請求項９】
スロットフォーマット情報を受信するように構成される前記少なくとも1つのプロセッサは、
グループ共通の物理ダウンリンク制御チャネル（GC−PDCCH）；
グループ共通制御信号；
準静的信号、
のうちのいずれか1つを監視することを含む、請求項7又は8に記載のUE。
【請求項１０】
前記少なくとも1つの構成は、以下の表のフォーマットのうちの少なくとも1つを含むフォーマットのセットからのフォーマットを有し、
【表２】
2020533916.tif 000038
ここで、「UKWN」として特定されるシンボルは、ダイナミックシグナリングによりDLシンボル又はULシンボルによってオーバーライドされ得る、請求項7から9のいずれか一項に記載のUE。
【請求項１１】
無線通信の方法であって、前記方法は、
基地局（BS）によって、スロットフォーマット情報（SFI）をユーザ機器に送信するステップであって、
前記SFIが少なくとも1つのスロット形成構成を示し、前記少なくとも1つのスロット形成構成のそれぞれが、スロットの第1の半分内のシンボルと関連付けられる第1の構成と、前記スロットの第2の半分内のシンボルと関連付けられる第2の構成とを備え、前記第1の構成が少なくとも1つのアップリンクシンボルの位置及び少なくとも1つのダウンリンクシンボルの位置を示し、前記第2の構成が少なくとも1つのアップリンクシンボルの位置及び少なくとも1つのダウンリンクシンボルの位置を示す、ステップと、
前記基地局によって、前記スロット形成構成に基づいてダウンリンクデータ送信又はアップリンクデータ送信を通信するステップであって、
前記第1の構成は、前記スロットの前記第1の半分内に少なくとも1つの第1のスイッチングポイントを備え、前記第2の構成は、前記スロットの前記第2の半分内に少なくとも第2のスイッチングポイントを備え、
前記スロットの前記第1の半分内の前記第１の構成が前記スロットの前記第2の半分内の前記第2の構成と同じである、ステップと、
を含む、方法。
【請求項１２】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項11に記載の方法。
【請求項１３】
前記第1のスイッチングポイント及び前記第2のスイッチングポイントのそれぞれは、少なくとも1つのガードシンボルの位置又は1つ以上の不明シンボルの位置を示す、請求項11又は12に記載の方法。
【請求項１４】
複数の構成は、以下の表のフォーマットのうちの少なくとも1つを含むフォーマットのセットからのフォーマットを有し、
【表３】
2020533916.tif 000039
ここで、「UKWN」として特定されるシンボルは、ダイナミックシグナリングによりDLシンボル又はULシンボルによってオーバーライドされ得る、請求項11から13のいずれか一項に記載の方法。
【請求項１５】
スロットフォーマット情報（SFI）をユーザ機器に送信し、
スロット形成構成に基づいてダウンリンクデータ送信又はアップリンクデータ送信を通信する、
ように構成される少なくとも1つのプロセッサを備え、
前記SFIが少なくとも1つのスロット形成構成を示し、前記少なくとも1つのスロット形成構成のそれぞれは、スロットの第1の半分内のシンボルと関連付けられる第1の構成と、前記スロットの第2の半分内のシンボルと関連付けられる第2の構成とを備え、前記第1の構成は、少なくとも1つのアップリンクシンボルの位置及び少なくとも1つのダウンリンクシンボルの位置を示し、前記第2の構成は、少なくとも1つのアップリンクシンボルの位置及び少なくとも1つのダウンリンクシンボルの位置を示し、
前記第1の構成は、前記スロットの前記第1の半分内に少なくとも1つの第1のスイッチングポイントを備え、前記第2の構成は、前記スロットの前記第2の半分内に少なくとも第2のスイッチングポイントを備え、
前記スロットの前記第1の半分内の前記第１の構成が前記スロットの前記第2の半分内の前記第2の構成と同じである、
基地局。
【請求項１６】
前記第1のスイッチングポイント及び前記第2のスイッチングポイントのそれぞれは、ダウンリンク送信方向からアップリンク送信方向へのスイッチングを示し、又は、前記第1のスイッチングポイント及び前記第2のスイッチングポイントのそれぞれは、アップリンク送信方向からダウンリンク送信方向へのスイッチングを示す、請求項15に記載の基地局。
【請求項１７】
前記少なくとも1つの構成は、以下の表のフォーマットのうちの少なくとも1つを含むフォーマットのセットからのフォーマットを有し、
【表４】
2020533916.tif 000040
ここで、「UKWN」として特定されるシンボルは、ダイナミックシグナリングによりDLシンボル又はULシンボルによってオーバーライドされ得る、請求項15又は16に記載の基地局。
【国際調査報告】
2020533916.tif 000041
2020533916.tif 000042